(57)【要約】  本発明は、照明デバイス光１０１を供給するように構成された照明デバイス１００を提供し、照明デバイス１００は、４３０〜４５５ｎｍの範囲から選択されるピーク波長λＰＷＬを有する青色光１１を供給するように構成された固体光源１０と、青色光１１の一部を第１の発光材料光２１１に変換するように構成された第１の発光材料２１０と、青色光１１及び第１の発光材料光２１１のうちの１つ以上の一部を第２の発光材料光２２１に変換するように構成された第２の発光材料２２０と、を含み、固体光源１０、第１の発光材料２１０、及び第２の発光材料２２０は、照明デバイス１００の第１の設定において、少なくとも９０のＣＲＩ、少なくとも７０のＲ９値、及び最大４６５ｎｍのＲ５０値を有する、白色照明デバイス光１０１を供給するように選択され、Ｒ５０値は、第１の設定における白色照明デバイス光１０１のスペクトル分布における第１の波長λ５０として定義され、第１の波長λ５０は、ピーク波長λＰＷＬに最も近いが、青色光１１のピーク波長λＰＷＬよりも長い波長であり、第１の波長は、ピーク強度Ｉ５０がピーク波長λＰＷＬにおける強度（ＩＰＷＬ）の５０％である。
2020520556.tif 000002
【特許請求の範囲】
【請求項１】
照明デバイス光を供給するように構成された照明デバイスであって、前記照明デバイスは、４３０〜４５５ｎｍの範囲から選択されるピーク波長を有する青色光を供給するように構成された固体光源と、前記青色光の一部を第１の発光材料光に変換するように構成された第１の発光材料と、前記青色光及び前記第１の発光材料光のうちの１つ以上の一部を第２の発光材料光に変換するように構成された第２の発光材料と、を含み、前記固体光源、前記第１の発光材料、及び前記第２の発光材料は、前記照明デバイスの第１の設定において、少なくとも９０のＣＲＩ、少なくとも１００の色域指数、少なくとも７０のＲ９値、及び最大４５５ｎｍのＲ５０値を有する、白色照明デバイス光を供給するように選択され、前記Ｒ５０値は、前記第１の設定における前記白色照明デバイス光のスペクトル分布における第１の波長として定義され、前記第１の波長は、前記ピーク波長に最も近いが、前記青色光の前記ピーク波長よりも長い波長であり、前記第１の波長は、ピーク強度が前記ピーク波長における強度の５０％である、照明デバイス。
【請求項２】
前記第１の発光材料光は、ＣＩＥ  ｕ１'を有する緑色及び黄色のうちの１つ以上において強度を有し、前記第２の発光材料光は、ＣＩＥ  ｕ２'を有する橙色及び赤色のうちの１つ以上に強度を有し、前記第１の発光材料及び前記第２の発光材料は、ＣＩＥ  ｕ１'と、ＣＩＥ  ｕ２'＝１．５８*ＣＩＥ  ｕ１'＋０．２５５であるＣＩＥ  ｕ２'との最大比、及び、ＣＩＥ  ｕ１'と、ＣＩＥ  ｕ２'＝２．３*ＣＩＥ  ｕ１'＋０．０４であるＣＩＥ  ｕ２'との最小比、によって定義される、前記第１の発光材料光及び前記第２の発光材料光を供給するように選択される、請求項１に記載の発光デバイス。
【請求項３】
前記青色光は、４３５〜４４５ｎｍの範囲から選択されるピーク波長を有する、請求項１又は２に記載の発光デバイス。
【請求項４】
前記第１の設定において、１０１〜１２０の範囲の色域指数を有する白色照明デバイス光を供給するように構成された、請求項１乃至３の何れか一項に記載の発光デバイス。
【請求項５】
前記第１の設定において、最大４５０ｎｍのＲ５０値を有する白色照明デバイス光を供給するように構成された、請求項１乃至４の何れか一項に記載の発光デバイス。
【請求項６】
前記第１の設定において、黒体軌跡よりも少なくとも０．００５下方にＣＩＥ  ｖ'を有し、黒体軌跡よりも最大０．０２５下方にＣＩＥ  ｖ'を有する、白色照明デバイス光を供給するように構成された、請求項１乃至５の何れか一項に記載の発光デバイス。
【請求項７】
前記第１の設定において、−０．０１４≦Ｄｕｖ≦−０．００５である白色照明デバイス光を供給するように構成されている、請求項１乃至６の何れか一項に記載の発光デバイス。
【請求項８】
前記第１の発光材料は緑色及び黄色のうちの１つ以上に強度を有し、前記ＣＩＥ  ｖ'値は０．５５〜０．５８の範囲にあり、前記第２の発光材料は橙色及び赤色のうちの１つ以上に強度を有し、前記ＣＩＥ  ｖ'値は０．５２〜０．５５の範囲にある、請求項１乃至７の何れか一項に記載の発光デバイス。
【請求項９】
前記第１の設定において、２７００〜４０００Ｋの範囲から選択される相関色温度を有する白色照明デバイス光を供給するように構成されている、請求項１乃至８の何れか一項に記載の発光デバイス。
【請求項１０】
前記第１の発光材料は、Ｍ３Ａ５Ｏ１２：Ｃｅ３＋を含み、Ｍは、Ｓｃ、Ｙ、Ｔｂ、Ｇｄ、及びＬｕからなる群から選択され、ＡはＡｌ、Ｇａ、Ｓｃ、及びＩｎからなる群から選択され、ＡはＧａ及びＡｌを含む、請求項１乃至９の何れか一項に記載の発光デバイス。
【請求項１１】
前記第２の発光材料は、ＭＡｌＳｉＮ３：Ｅｕを含み、Ｍは、バリウム、ストロンチウム、及びカルシウムからなる群から選択される１つ以上の元素を含み、前記第２の発光材料は、異なるＭＡｌＳｉＮ３：Ｅｕ化合物を含み、前記化合物は、Ｍが少なくともＣａを含む第１の化合物、及びＭが少なくともＳｒを含む第２の化合物を有する、請求項１乃至１０の何れか一項に記載の発光デバイス。
【請求項１２】
前記固体光源は、４３５〜４４５ｎｍの範囲から選択されるピーク波長を有する青色光を供給するように構成され、
前記固体光源はＬＥＤダイを有し、前記照明デバイスは、前記第１の発光材料及び前記第２の発光材料を含む光変換器を備え、前記光変換器は、前記ＬＥＤダイと物理的に接触しており、
前記第１の発光材料は、Ｍ３Ａ５Ｏ１２：Ｃｅ３＋を含み、Ｍは、Ｓｃ、Ｙ、Ｔｂ、Ｇｄ、及びＬｕからなる群から選択され、ＡはＡｌ、Ｇａ、Ｓｃ、及びＩｎからなる群から選択され、ＡはＧａ及びＡｌを含み、
前記第２の発光材料は、ＭＡｌＳｉＮ３：Ｅｕを含み、Ｍは、バリウム、ストロンチウム、及びカルシウムからなる群から選択される１つ以上の元素を含み、前記第２の発光材料は、異なるＭＡｌＳｉＮ３：Ｅｕ化合物を含み、前記化合物は、Ｍが少なくともＣａを含む第１の化合物、及びＭが少なくともＳｒを含む第２の化合物を有し、
前記発光デバイスは、前記第１の設定において、最大４５５ｎｍのＲ５０値を有する白色照明デバイス光を供給するように構成されている、
請求項１乃至１１の何れか一項に記載の発光デバイス。
【請求項１３】
前記第１の設定において、前記青色光に対して１１〜１３％、前記第１の発光材料光に対して４０〜４７％、及び前記第２の発光材料光に対して３０〜４８％の範囲にスペクトル分布を有する白色照明デバイス光を供給するように構成されている、請求項１乃至１２の何れか一項に記載の発光デバイス。
【請求項１４】
請求項１乃至１３の何れか一項に記載の発光デバイスと、前記発光デバイスを制御するように構成された制御システムとを備える、照明システム。
【請求項１５】
請求項１乃至１３の何れか一項に記載の発光デバイスの、小売店照明における使用。
【発明の詳細な説明】
【技術分野】
【０００１】
本発明は、照明デバイス、そのような照明デバイスを備える照明システム、並びにそのような照明デバイスの使用に関する。
【背景技術】
【０００２】
白色照明デバイスが当該技術分野において知られている。例えば、国際公開第２０１３／１５０４７０号は、４００〜４４０ｎｍの波長範囲の放出ピークを有する白色出力光を生成するように適合された発光モジュールについて記載しており、発光モジュールは、４４０〜４６０ｎｍの第１の波長範囲内に放出ピークを有する光を発するように適合された少なくとも１つの第１の発光要素と、第１の発光要素によって発せられた光を受光するように構成され、緑色から赤色の波長範囲内に放出ピークを有する光を発することができる少なくとも１つの波長変換材料と、４００〜４４０ｎｍの第２波長範囲内に放出ピークを有する光を発するように適合された少なくとも１つの第２の発光要素と、を備える。このようなモジュールは、「クリスプホワイト（Crisp White）」効果を有する白色光を供給する。
【０００３】
国際公開第２０１５／１２４７５５（Ａ１）号は、白色光の第１のカラーポイントを有する第１の光を発する第１のモジュールと、４４０〜４７０ｎｍの範囲のピーク波長を有する青色光のピークを発する第２のモジュールと、を備える発光モジュールについて開示している。
【０００４】
国際公開第２０１７／０２１０８７（Ａ１）号は、４００〜４４０ｎｍの範囲の深青色（deep blue）放射及び４４０〜４９０ｎｍの範囲の青色光を生成する光源と、光源からの光の少なくとも一部の変換のための第１及び第２の発光材料と、を含む照明デバイスについて開示している。
【０００５】
国際公開第２０１５／０１５３６３（Ａ１）号は、４４０〜４６０ｎｍの範囲に発光ピークを有する青色発光要素と、４００〜４４０ｎｍの範囲に発光ピークを有する深青色発光要素と、狭帯域波長変換材料と、広帯域波長変換材料と、を含む発光構成について開示している。
【０００６】
米国特許出願公開第２０１６／１１６１２４（Ａ１）号は、変化する電力を受け取るように構成されている発光ダイオードと、第１の蛍光体と、電力が変化するにつれて変化する変換効率を有する第２の蛍光体とを備え、ＬＥＤ、第１の蛍光体、及び第２の蛍光体からの光が組み合わされて発光を形成する照明システムについて開示している。
【０００７】
欧州特許出願公開第２５８７５５９（Ａ１）号は、ＬＥＤと、ＬＥＤからの光を変換する蛍光体材料とを有する白色発光半導体デバイスについて開示している。蛍光体材料は、緑色蛍光体及び広帯域赤色蛍光体を含む。
【０００８】
欧州特許出願公開第２４３２０３７（Ａ１）号は、ＬＥＤ、青色光を生成する第１の蛍光体、緑色光を生成する第２の蛍光体、及び赤色光を生成する第３の蛍光体、を有する白色発光半導体デバイスについて開示している。
【発明の概要】
【発明が解決しようとする課題】
【０００９】
小売店照明のために、多くの場合、ＣＤＭ（ceramic discharge metal halide、セラミック放電メタルハライド）照明が適用される。ＣＤＭ技術は、店舗での商品の照明のために大量に採用されてきた。
【００１０】
代替的な照明デバイスを採用するためのキーは、高効率（特に＞１００ｌｍ／Ｗ）、及び高演色性（特にＣＲＩ≧９０）、及び最適な白色知覚（これは、国際公開第２０１３／１５０４７０号において、ランプ発光スペクトルの深青波長を介した光学的光沢剤の励起によって達成される）と思われる。
【００１１】
ＬＥＤの導入により、上記のＣＤＭ技術の代替が可能である。小売店照明に適用される主ＬＥＤ光源は、チップオンボード（Chip on Board、ＣｏＢ）である。ＣｏＢの小直径（発光源）は、狭いビーム角度でのスポット照明を可能にする。しかし、これらＬＥＤソリューションの一般的な受け入れは、効率化の遅れ、色及び白色の知覚によって妨げられてきた。
【００１２】
小売店用のＬＥＤ照明におけるブレイクスルーは、国際公開第２０１３／１５０４７０号のクリスプホワイトの発明であった（上記も参照）。深青色発光ピークの追加により、白色布地、塗料、及びプラスチック中に存在する蛍光増白剤が励起される。これにより、白色度の知覚が大幅に改善される。このクリスプホワイト源は、白色度及び演色性の観点から、ＣＤＭの代替として市場に受け入れられている。
【００１３】
発光スペクトルに深青色光を追加することの代替策は、放出された光源のカラーポイントを、ＢＢＬよりもはるかに低いカラーポイントに変化させることである。主流の小売店照明のＣＣＴは３０００Ｋであり、付随するカラーポイントは黒体線（黒体軌跡（black body locus、ＢＢＬ））よりも有意に低く、例えば、ＣＩＥ  ｙはＢＢＬ（ＣＩＥ  １９３１）よりも少なくとも０．０５低い。良好な結果が、約２５００〜３５００Ｋの範囲の色温度、及び、ＢＢＬよりも（従って）少なくとも０．０５低いＣＩＥ  ｙ（ＣＩＥ  １９３１）で得られる可能性がある。
【００１４】
これにより、上述のように、発光スペクトルが追加の深青色を有することなく、ＢＢＬよりも低い目標カラーポイントを有する光源を提供することが可能になる。それゆえ、白色度は、追加の深青色には起因せず、カラーポイントがＢＢＬに対して低いことに起因する。
【００１５】
高いＣＲＩは、必ずしも所望の色知覚を提供しない。色域指数の使用は、所望の光学特性を更に特徴付けるために有用と思われる。光源によってレンダリングされる色の色域は、色域指数（ＧＡＩ又はＧａ）として知られている測定基準によって測定することができる。ＣＲＩを計算するために使用されるカラーポイントが２次元空間内で接続されている場合、それらが形成する境界領域は色域である。より高いＧＡＩは色の飽和をもたらす。
【００１６】
使用される色を、ＣＲＩ内で黒体放射体で３０００ＫのＣＣＴにてレンダリングすると、１００のＣＲＩが生成される。黒体放射体によってレンダリングされるのと厳密に同様にはカラーポイントがレンダリングされない任意の光源については、ＣＲＩは１００未満である。レンダリングされたカラーポイントを接続することにより色域が形成される。
【００１７】
色域指数は、ＣＲＩ用に使用されるものと同じ色のセットを使用して、光源によって形成された色域を、基準源によって形成された色域で除することによって計算される。
【００１８】
制限にもかかわらず、平均演色評価数（Ｒａ）は依然として、光源の演色性を評価するための、ＣＩＥ標準化され広く使用されている唯一の指数である。これは、製品仕様書シートにおいて照明製造業者によって、国内及び国際標準［１〜７］及び規制機関［８〜１１］によって、最低要件を設定するために、及びリベートプログラム［１２］において使用されている。平均演色評価数は、同じ相関色温度を有する基準光と比較して、試験色票の規定されたセットに対して、ランプがどれくらい正確に演色を再現できるかの尺度である。色差のみが計算され平均化されるので、基準光と比較して、色がより多く再現されるか又はより少なく再現されるかに関わらず、色差の増加と共にＲａは必然的に減少することになる。Ｒａの次に、彩度の平均変化を捕捉する第２の指数を追加することが有益であろう。
【００１９】
Ｊｏｓｔら、（ｈｔｔｐ：／／ｌｒｔ．ｓａｇｅｐｕｂ．ｃｏｍ／ｃｇｉ／ｒｅｐｒｉｎｔ／１４７７１５３５１４５５５８８２ｖ１．ｐｄｆ？ｉｊｋｅｙ＝ｂＩｏｗ１ｘｂｕｃＦＴＧｏ５Ｖ＆ｋｅｙｔｙｐｅ＝ｆｉｎｉｔｅ）（Ｌｉｇｈｔｉｎｇ  Ｒｅｓ．Ｔｅｃｈｎｏｌ．２０１４；０：１−２６）は、自然度が、Ｒａのような忠実度ベースの指数と最もよく相関し、物体の魅力度が色域ベースの指数と最もよく相関することを見出した。試験されるランプの自然度と魅力度との間で直接、トレードオフを考慮することを可能にするために、平均演色評価数を計算するために使用されるのと同じ方法論及び試験色票を用いて、色域ベースの指数を計算する必要がある。この目的のために、色域指数は、参照により本明細書に組み込まれる、ＣＩＥ出版物１３．３−１９９５［１３］に記載の方法及び手順に基づくものとする。このセクションは、相対色域指数を計算するための方法を含む。相対色域指数が、平均演色評価数（Ｒａ）と併せて使用されるべきであることを示すために、相対色域指数を記号Ｇａで指定する。
【００２０】
相対色域指数（Ｇａ）を計算する手順は、ＣＩＥ出版物１３．３−１９９５［１３］のセクション５に記載されている評価手順に基づく。試験されるランプ及び基準光の両方の色域は、８つの試験色票のセットで計算されなければならず、分光放射輝度率は、ＣＩＥ１３．３−１９９５［１３］のセクション８、表１に指定されている。そうするためには、最初に、８つの試験色のＣＩＥ  １９３１三刺激値を、試験されるランプ及び基準光の両方について決定しなければならない。次のステップは、これらの三刺激値を１９６０  ＵＣＳ色度図の座標に変換することである。
【００２１】
順応性色ずれは、Ｄ．Ｂ．Ｊｕｄｄ（Ｐｒｏｃｅｅｄｉｎｇｓ  ｏｆ  ｔｈｅ  Ｎａｔｉｏｎａｌ  Ａｃａｄｅｍｙ  ｏｆ  Ｓｃｉｅｎｃｅｓ，０７／１９６６；５５（６）：１３１３−３０．ＤＯＩ：１０．１０７３／ｐｎａｓ．５５．６．１３１３）、によって与えられる基本原色を用いたＶｏｎ  Ｋｒｉｅｓ変換によって考慮される。
【００２２】
相対色域指数は、１９６０均等色空間内で計算される。
【００２３】
基準光に関しては、ＣＩＥ１３．３−１９９５［１３］のセクション５．２に記載されているものと同じ手順が用いられる。
【００２４】
基準光の許容誤差に関しては、ＣＩＥ１３．３−１９９５［１３］のセクション５．３に記載されているものと同じ基準を使用するものとする。
【００２５】
試験色票に関しては、ＣＩＥ１３．３−１９９５［１３］のセクション５．４（及びセクション８、表１）に記載されている８つの試験色票のセットのみを使用するものとする。
【００２６】
８つの試験色票のＣＩＥ１９３１三刺激値の決定に関しては、ＣＩＥ１３．３−１９９５［１３］のセクション５．５で指定されているものと同じ手順を使用するものとする。
【００２７】
１９６０  ＵＣＳ座標への変換に関しては、ＣＩＥ１３．３−１９９５［１３］のセクション５．６で指定されているものと同じ手順を使用するが、セクション８の表１に指定された８つの試験色票についてのみ使用するものとする。これにより、８つの試験色票（ｉ＝１，８）について、１９６０均等色空間内の色度座標が、試験されるランプ（ｕｋ，ｉ，ｖｋ，ｉ）、並びに基準光（ｕｒ，ｉ，ｖｒ，ｉ）に対して提供されることになる。
【００２８】
順応性の（知覚された）色ずれの考慮に関しては、ＣＩＥ１３．３−１９９５［１３］のセクション５．７で指定されているものと同じ手順を使用するが、セクション８の表１に指定された８つの試験色票についてのみ使用するものとする。これにより、８つの試験色票（ｉ＝１，８）について、順応性色ずれを考慮した後の、１９６０均等色空間内の色度座標（ｕ'ｋ，ｉ，ｖ'ｋ，ｉ）が、試験されるランプ（ｋ）に対して提供されることになる。
【００２９】
色域の決定に関しては、基準光（ＧＡｒｅｆ）の色域は、以下の式を使用して、基準光（ｒ）（上記参照）で照明された試験色票の色度座標を用いて計算されるものとする。
ＧＡｒｅｆ＝（（ｕｒ，１×ｖｒ，２）−（ｕｒ，２×ｖｒ，１）＋（ｕｒ，２×ｖｒ，３）−（ｕｒ，３×ｖｒ，２）＋
（ｕｒ，３×ｖｒ，４）−（ｕｒ，４×ｖｒ，３）＋（ｕｒ，４×ｖｒ，５）−（ｕｒ，５×ｖｒ，４）＋
（ｕｒ，５×ｖｒ，６）−（ｕｒ，６×ｖｒ，５）＋（ｕｒ，６×ｖｒ，７）−（ｕｒ，７×ｖｒ，６）＋
（ｕｒ，７×ｖｒ，８）−（ｕｒ，８×ｖｒ，７）＋（ｕｒ，８×ｖｒ，１）−（ｕｒ，１×ｖｒ，８））／２
【００３０】
試験されるランプの色域（ＧＡｔｅｓｔ）は、以下の式を用いて、順応性色ずれ（上記参照）を考慮した後に、試験されるランプ（ｋ）で照明された試験色票の色度座標を用いて計算されるものとする。
ＧＡｔｅｓｔ＝（（ｕ'ｋ，１×ｖ'ｋ，２）−（ｕ'ｋ，２×ｖ'ｋ，１）＋（ｕ'ｋ，２×ｖ'ｋ，３）−（ｕ'ｋ，３×ｖ'ｋ，２）＋
（ｕ'ｋ，３×ｖ'ｋ，４）−（ｕ'ｋ，４×ｖ'ｋ，３）＋（ｕ'ｋ，４×ｖ'ｋ，５）−（ｕ'ｋ，５×ｖ'ｋ，４）＋
（ｕ'ｋ，５×ｖ'ｋ，６）−（ｕ'ｋ，６×ｖ'ｋ，５）＋（ｕ'ｋ，６×ｖ'ｋ，７）−（ｕ'ｋ，７×ｖ'ｋ，６）＋
（ｕ'ｋ，７×ｖ'ｋ，８）−（ｕ'ｋ，８×ｖ'ｋ，７）＋（ｕ'ｋ，８×ｖ'ｋ，１）−（ｕ'ｋ，１×ｖ'ｋ，８））／２
【００３１】
相対色域指数（Ｇａ）は、基準光に対する色域値（ＧＡｒｅｆ）、及び試験されるランプに対する色域値（ＧＡｔｅｓｔ）（上記参照）を用いて次の式で計算されるものとする。
Ｇａ＝１００×ＧＡｔｅｓｔ／ＧＡｒｅｆ
【００３２】
試験色票の同じセットに基づいて、相対色域指数（Ｇａ）を平均演色評価数（Ｒａ）と共に使用して、光源の演色品質に関する追加情報を明らかにすることができる。それは、Ｒａによって開示されるもの以外の情報を明らかにする。Ｊｏｓｔらによる研究によると、Ｒａは自然度と強く相関するのに対し、色域に基づく指数は魅力度との高い相関性を示す。Ｊｏｓｔによって提供されるデータに関する更なる分析は、Ｇａが魅力度と強く相関することを示している。２次元（Ｒａ−Ｇａ）システムでは、一方の軸が自然度に関連し、他方の軸が物体の魅力度に関連し得る。このようなトレードオフは、全ての情報が１つの単一の平均指数値に凝縮されている場合には容易に満たすことはできない。自然度と対象物の魅力度との間のバランスは意図する用途に依存するため［１４］、この実験の知見を、高い自然度の領域及び高い魅力度の領域に分類するためには注意しなければならない。物体の魅力度とＧａとの間の相関は平均的には高いが、色域の増加量には限界があり［１５］、とりわけ、肌の色合いの演色に関しては注意しなければならない［１４］。更には、高忠実度（Ｒａ）スコアは、必ずしも物体の自然な演色を意味しない。
【００３３】
上述のように、相対色域指数（Ｇａ）を計算する手順について説明する。Ｒａと共に使用して、忠実度スコアがより低いことの起源、すなわち基準源と比較して大きい色域にあるか又は小さい色域にあるかを示すことが最も好ましいであろう。しかし、Ｇａもまた、全ての色ずれを１つの単一の数値に集約しているが、一方では、特定の用途においては、特定の色に対する比較的小さいずれが、他の色に対する比較的大きいずれよりも、より重要な場合がある。グラフ表現は、インデックス値Ｒａ及びＧａを決定するために使用される全ての個々の色に関する彩度及び色相シフトの変化に関する包括的な概要を提供する。これは補助的であり、より情報に基づいた設計決定を行うのに役立つ。
【００３４】
平均演色グラフを計算するための手順は、前のセクションに記載された方法論に基づいている（上記参照）。開始点は、上述の手順で決定された基準光（ｕｒ，ｉ，ｖｒ，ｉ）の色度座標、及び上述の手順で決定された順応性色ずれ（ｕ'ｋ，ｉ，ｖ'ｋ，ｉ）を考慮して試験されるランプの色度座標である。色度座標は、最初に、以下の式によってＣＩＥ  １９６０  ＵＣＳから、より知覚的に均一なＣＩＥ  １９７６  ＵＣＳに変換されるものとする。
ｕ'＝ｕ，ｖ'＝１．５×ｖ
【００３５】
その後、白色点から８つの試験色票の色度座標のそれぞれまでの距離を計算することとする。試験されるランプの色度座標は、上述のように（ＣＩＥ１３．３−１９９５のセクション５．３）黒体軌跡に近いものとする。従って、順応性色ずれを考慮した後の、試験されるランプの白色点の色度座標は、基準光（ｕ'ｗｒ，ｖ'ｗｒ）の色度座標に等しい。８つの試験色票（ｉ）の全てについて、基準白色点までの距離は、以下の式を使用して決定されるものとする。
基準源（ｒ）について、Δｕ'ｒ，ｉ＝ｕ'ｒ，ｉ−ｕ'ｗｒ、及び、Δｖ'ｒ，ｉ＝ｖ'ｒ，ｉ−ｖ'ｗｒ
試験されるランプ（ｋ）について、Δｕ'ｋ，ｉ＝ｕ'ｋ，ｉ−ｕ'ｗｒ、及び、Δｖ'ｋ，ｉ＝ｖ'ｋ，ｉ×１．５−ｖ'ｗｒ
【００３６】
試験されるランプについては、シンボルｖ'ｋ，ｉは既に上記に指定されている。従って、この値に１．５を乗じて、ＣＩＥ  １９６０  ＵＣＳからＣＩＥ  １９７６  ＵＣＳに変換されるものとする。
【００３７】
基準光と比較して、試験されるランプの相対的な色ずれの比較を可能にするために、最初に基準白色点（ｕ'ｗｒ，ｖ'ｗｒ）からの距離が、基準光（ｒ）で照明された全ての個々の試験色票（ｉ）について、最初に１に正規化されるものとする。引き続き、（ｕ'ｗｒ，ｖ'ｗｒ）から、試験ランプ（ｋ）で照らされた試験色票（ｉ）に対する色度座標までの距離が、以下の式に従って適宜スケーリングされるものとする。
Δｕ'Ｎ，ｒ，ｉ＝Δｕ'ｒ，ｉ／（Δｕ'ｒ，ｉ２＋Δｖ'ｒ，ｉ２）０．５，Δｖ'Ｎ，ｒ，ｉ＝Δｖ'ｒ，ｉ／（Δｕ'ｒ，ｉ２＋Δｖ'ｒ，ｉ２）０．５
Δｕ'Ｎ，ｋ，ｉ＝Δｕ'ｋ，ｉ／（Δｕ'ｒ，ｉ２＋Δｖ'ｒ，ｉ２）０．５，Δｖ'Ｎ，ｋ，ｉ＝Δｖ'ｋ，ｉ／（Δｕ'ｒ，ｉ２＋Δｖ'ｒ，ｉ２）０．５
【００３８】
スケーリングされた色差座標を、基準源（Δｕ'Ｎ，ｒ，ｉ，Δｖ'Ｎ，ｒ，ｉ）、及び試験されるランプ（Δｕ'Ｎ，ｋ，ｉ，Δｖ'Ｎ，ｋ，ｉ）に対して、平均演色評価数として、ＣＩＥ  １９７６  Δｕ'，Δｖ'色空間内のグラフにおいて、白色点の色度座標（ｕ'ｗｒ，ｖ'ｗｒ）を原点として表すことができる。一例が、図８に提示される。
【００３９】
演色評価数グラフの利点は、平均演色評価数（Ｒａ）がなぜ１００の値から逸脱しているのかを示すことである。これは、８つの試験色票の全てについての相対的な色変化を、大きさと色相シフトの両方で示している。このグラフ表現方法の欠点は、好ましい又は許容される色変化の評価基準を提供しないことである。ここでも、これは意図した用途によって決定されることが予想される。
【課題を解決するための手段】
【００４０】
本発明では、ＣＲＩを決定するための基準源とＧＡＩを決定するための基準源が、同じになるように選択される（上記を参照、及びＣＩＥ１３．３−１９９５［１３］のセクション５．２も参照）。
【００４１】
初期的なユーザ試験から、わずかに増加させた赤色彩度が好ましいことが明らかである。色域指数（ＣＲＩの計算に使用される不飽和色に基づく）を使用する代わりに、又はそれに加えて、赤色彩度指数を使用することができる。赤色過飽和の欠点は、コスト効率が犠牲になることである。更なる試験により、特に（更に）黄色及び／又は緑色飽和（９０〜１６０°の色相）の増加が、高く評価されることが示された。これら色相ビンを過飽和させることによって色域を増加させることは、効率ペナルティを限定させて行うことができる。
【００４２】
最適な（小売店）照明ソリューションは、白色及び色の知覚によってだけでなく、システム効率によっても説明され得る。効率（ｌｍ／Ｗ）、白色知覚（白色度）、及び色知覚（色域指数）の間にはトレードオフがある。ＬＥＤにおける最も効率の高いソリューションは、ＣＲＩ≧８０を満たし、特定のＧＡＩ要件を持たないＢＢＬ（Ｓｔａｎｄａｒｄ  ＣｏＢ）上の発光スペクトルである。クリスプホワイトソリューションは、比較的低い効率を有し得る。その理由は、追加の深青色光に起因して、ワット当たりの全体的なルーメン出力は、深青色光がない場合よりも低いからである。上述のように、ユーザ試験により、赤色、及び／又は緑色／黄色のわずかな過飽和が好ましいことが明らかになっている。しかし、赤色の過飽和は効率ペナルティを伴う。小売店照明のエネルギー効率の要求を満たすためには、一般的には、適用時のＬＥＤレベルで少なくとも１０５ｌｍ／Ｗが必要である。その結果、上記の提案されたソリューションは、特に小売店照明に関して、全ての所望の特性をもたらさない場合がある。本明細書では、色域指数ＧＡＩは、ＧＡＩとしても示される。
【００４３】
それゆえ、本発明の一態様は、好ましくは上述の欠点のうちの１つ以上を更に少なくとも部分的に回避し、特に、相対的に高い効率、相対的に高いＣＲＩ、高いＧａ（ＧＡＩ）、良好な演色、及び１つ以上の色のある程度の飽和、を有する、代替的な照明デバイスを提供することである。
【００４４】
良好な白色「レンダリング」は、紫色のＬＥＤを白色光ブレンドに追加することによって得ることができるように思われるが、費用がかかり、有意な効率ペナルティを有する場合がある。高い彩度指数は、深赤色蛍光体を追加することによって、すなわち、赤色彩度を増加させることによって得ることができるが、これはまた、有意な効率ペナルティを有する場合がある。
【００４５】
白色スペクトルの青色ピークをより短波長にシフトさせることにより、良好な白色レンダリング、高色域指数（彩度指数として示される場合もある）、ＣＤＭ−ｅｌｉｔｅとしての知覚、及び良好な効率、のうちの１つ以上が得られることが、驚くべきことに見出された。これは、青色ＬＥＤ波長を調整すること、及び／又は（緑色）蛍光体の吸収を調整することなど様々な方法で実現されることができる。
【００４６】
それゆえ、第１の態様では、本発明は、照明デバイス光を供給するように構成された照明デバイス（「デバイス」又は「発光デバイス」）を提供し、照明デバイスは、（ａ）４３０〜４５５ｎｍ（「青色光源光」）の範囲から選択されるピーク波長を有する青色光を供給するように構成された固体光源と、（ｂ）青色光の一部を第１の発光材料光に変換するように構成された第１の発光材料と、（ｃ）青色光及び第１の発光材料光のうちの１つ以上の一部を第２の発光材料光に変換するように構成された第２の発光材料と、を含み、固体光源、第１の発光材料、及び第２の発光材料は、照明デバイスの第１の設定において、白色照明デバイス光を供給するように選択され、白色照明デバイス光は、少なくとも９０のＣＲＩ、少なくとも１００の色域指数（ＧＡＩ）、及び少なくとも７０のＲ９値を有する。白色照明デバイス光は、最大４５５ｎｍのＲ５０値を有する。実施形態では、白色照明デバイス光は、最大４５０ｎｍ、特に最大４４５ｎｍ、より具体的には最大４４０ｎｍのＲ５０値を有する。Ｒ５０値は、第１の設定における白色照明デバイス光のスペクトル分布における第１の波長（λ５０）として定義され、第１の波長（λ５０）は、（スペクトル分布における青色光の）ピーク波長（λＰＷＬ）に最も近いが、青色光のピーク波長（λＰＷＬ）よりも長い波長であって、ピーク強度（Ｉ５０）がピーク波長（λＰＷＬ）における強度（ＩＰＷＬ）の５０％である波長である。任意選択的に、白色照明デバイス光は、２２００〜４５００Ｋの範囲から選択される相関色温度を有する。
【００４７】
このような発光デバイスは、例えば、衣類、電子機器、（生鮮）食品、パーソナルケア製品などの商品を照明するために小売店で使用されてもよい。驚くべきことに、このような光源は、相対的に高い効率、相対的に高いＣＲＩ、相対的に高いＧＡＩ、及び１つ以上の色のある程度の飽和を有し得ると思われる。（消費者）テストにおいて、このような照明デバイスが、先行技術のソリューション、及び／又は上記で提案されたソリューションに対して高く評価された。デバイスはまた、レストラン、ホテル、クリニック、若しくは病院などのホスピタリティ照明に、又は他の照明用途（以下も参照）に使用されてもよい。
【００４８】
本明細書では、用語「紫色光」又は「紫色発光」は、特に、約３８０〜４３０ｎｍの範囲の波長を有する光に関連する。用語「青色光」又は「青色発光」は、特に、約４３０〜４９５ｎｍの範囲の波長を有する（ある程度の紫色及びシアンの色相を含む）光に関連する。用語「緑色光」又は「緑色発光」は、特に、約４９５〜５７０ｎｍの範囲の波長を有する光に関連する。用語「黄色光」又は「黄色発光」は、特に、約５７０〜５９０ｎｍの範囲の波長を有する光に関連する。用語「橙色光」又は「橙色発光」は、特に、約５９０〜６２０ｎｍの範囲の波長を有する光に関連する。用語「赤色光」又は「赤色発光」は、特に、約６２０〜７８０ｎｍの範囲の波長を有する光に関連する。用語「ピンク色光」又は「ピンク色発光」は、青色成分及び赤色成分を有する光を指す。用語「可視」、「可視光」、又は「可視発光」は、約３８０〜７８０ｎｍの範囲の波長を有する光を指す。
【００４９】
上述のように、照明デバイスは、４３０〜４５５ｎｍの範囲から選択されるピーク波長（λＰＷＬ）を有する、具体的には４３５〜４５０ｎｍの範囲から選択された、より具体的には４３５〜４４５ｎｍの範囲から選択された、更により具体的には４３５〜４４０ｎｍの範囲から選択された、ピーク波長（λＰＷＬ）を有する、青色光を供給するように構成された固体光源を備える。
【００５０】
ピーク波長は、例えば固体光源の生産者によって指定されるような、固体光源のスペクトル分布の最大値を示す。ピーク波長は、エネルギースケール（ｙ軸が光子数の代わりにエネルギー）上のスペクトル分布に関連して定義され得る。より小さい又はより大きいピーク波長は、より望ましくないＧＡＩを有するスペクトル光分布、及び／又は効率がより劣る照明デバイスにつながる場合がある。用語「ピーク波長」の代わりに、用語「ピーク最大」も適用されてもよい。
【００５１】
特に、第１の発光材料光（２１１）は、ＣＩＥ  ｕ１'を有する緑色及び黄色のうちの１つ以上に強度を有し、第２の発光材料光（２２１）は、ＣＩＥ  ｕ２'を有する橙色及び赤色のうちの１つ以上に強度を有し、第１の発光材料（２１０）及び第２の発光材料（２２０）は、ＣＩＥ  ｕ１'（２１１）と、ＣＩＥ  ｕ２'（２２１）＝１．５８*ＣＩＥ  ｕ１'（２１１）＋０．２５５であるＣＩＥ  ｕ２'（２２１）との最大比、及び、ＣＩＥ  ｕ１'（２１１）と、ＣＩＥ  ｕ２'（２２１）＝２．３*ＣＩＥ  ｕ１'（２１１）＋０．０４．であるＣＩＥ  ｕ２'（２２１）との最小比、によって定義される、第１の発光材料光（２１１）及び第２の発光材料光（２２１）を供給するように選択される。これらの条件に適合する、すなわち、これらの式によって定義される比を有するか、又はこれら最大比と最小比との間の値を有する、１つ以上の発光材料が選択される場合は、特に、例えばＣＩＥ及びＧＡＩの所望の光学特性がもたらされ、良好な効率を有する照明デバイスが提供されてもよい。
【００５２】
特に、第１の発光材料（２１０）は緑色及び黄色のうちの１つ以上に強度を有し、ＣＩＥ  ｖ'値は０．５５〜０．５８の範囲にあり、第２の発光材料は橙色及び赤色のうちの１つ以上に強度を有し、ＣＩＥ  ｖ'値は０．５２〜０．５５の範囲にある。
【００５３】
特に、固体光源は、３８０〜４９５ｎｍのスペクトル領域におけるパワーの少なくとも８０％が４１５〜４７０ｎｍの範囲、例えば４２０〜４６５ｎｍの範囲にあるスペクトル分布を提供するように構成されている。第１の光源は、最大１００ｎｍの範囲に、例えば５〜５０ｎｍの範囲に半値全幅を有する青色光を供給するように特に構成されている。ＬＥＤの典型的な半値全幅は、約１５〜２５ｎｍの範囲に、特に約１５〜２０ｎｍの範囲にある。ＬＥＤ光源の場合、主波長及びピーク最大は、多くの場合、実質的に同一である（青色ＬＥＤについては、主波長（ＤＷＬ）とピーク波長（ＰＷＬ）との差は５ｎｍ程度である）。
【００５４】
光源は特に、ＬＥＤ又はレーザダイオードなどの固体光源を備える。用語「光源」はまた、２−５１２、例えば２−２０のような固体光源など、複数の光源に関連してもよい。それゆえ、固体光源という用語はまた、複数のＬＥＤを指す場合もある。本明細書では、用語「光源」も適用され、特に「固体光源」を指す。複数の光源が適用される場合、光源は、５ｎｍのビン、又は６ｎｍのビン、又は１０ｎｍのビンなど、同じビン内に全てが存在するピーク波長（又は主波長）を有する光を供給してもよい。しかし、任意選択的に２つ以上のビンが適用されてもよい。光源はまた、ＣＯＢ（光源）を含んでもよい。
【００５５】
同じビンから選択されたものか、又は例えば２つ以上の異なるビン内の２つ以上の光源のブサセットの何れかの、異なる光源が適用される場合は、光源又はサブセットは別々に制御されてもよい。それゆえ、照明デバイスは、光源を制御するように構成された、又は複数の光源を制御するように構成された制御システムを更に備えてもよい（以下も参照）。
【００５６】
青色固体光源光のピーク波長（λＰＷＬ）は、白色光のスペクトル分布における青色光のピーク波長とはわずかに異なっていてもよい。例えば、これは、光源光のスペクトル幅にわたる発光材料による吸収の差に起因する場合がある。それゆえ、ピーク波長という用語は、ベア固体光源（ダイ）のピーク波長を指し得るが、白色照明デバイス光との関連においては、白色照明デバイス光のスペクトル分布における青色光のピーク波長を指す（例えば、図３を参照）。
【００５７】
光源及び発光材料は、特に放射的に結合している。「放射的に結合する」という用語は、特に光源と発光材料とが互いに関連付けられていることにより、光源から放出された放射の少なくとも一部が発光材料によって受け取られること（そして少なくとも部分的に発光に変換されること）を意味する。
【００５８】
複数の光源が適用される場合、実質的に各光源が、両方の発光材料に放射的に結合されてもよい。しかし、実施形態ではまた、第１の（サブセットの）光源は、第１の発光材料と放射的に結合されてもよく、第２の（サブセットの）光源は、第２の発光材料と放射的に結合されてもよい。なお、光源が第１の発光材料とだけ放射的に結合され、第２の発光材料が実質的に第１の発光材料とだけ放射的に結合されている実施形態さえも含まれてもよいことに留意されたい。これは、第２の発光材料が実質的に第１の発光材料光によってのみ励起可能であって、光源光によっては励起可能ではない場合であってもよい。しかし、一般的には、第２の発光材料も光源光の一部を変換する。
【００５９】
用語「発光材料」は、本明細書では特に無機発光材料に関連し、これは蛍光体としても示されることもある。これらの用語は当業者には知られている。
【００６０】
実施形態において、本発明は、ＣＩＥ  ｕ'を有する緑色及び黄色のうちの１つ以上に強度を有する第１の発光材料光を供給するように構成された第１の発光材料と、青色光及び第１の発光材料光のうちの１つ以上の一部を、ＣＩＥ  ｕ'を有する橙色及び赤色のうちの１つ以上に強度を有する第２の発光材料光に変換するように構成された第２の発光材料と、を有する照明デバイスを提供し、第１の発光材料及び第２の発光材料は、ＣＩＥ  ｕ'（２１１）と、ＣＩＥ  ｕ'（２２１）＝１．５８*ＣＩＥ  ｕ'（２１１）＋０．２５５であるＣＩＥ  ｕ'（２２１）との最大比、及び、ＣＩＥ  ｕ１'（２１１）と、ＣＩＥ  ｕ'（２２１）＝２．３*ＣＩＥ  ｕ'（２１１）＋０．０４であるＣＩＥ  ｕ'（２２１）との最小比、によって定義される、第１の発光材料光及び第２の発光材料光を供給するように選択される。
【００６１】
本明細書では、用語「ＣＩＥ  ｕ'（２１１）」は、「ＣＩＥ  ｕ'（第１の発光材料光）」としても示され、ＣＩＥ  ｕ１'として示される場合もある。本明細書では、用語「ＣＩＥ  ｕ'（２２１）」は、「ＣＩＥ  ｕ'（第２の発光材料光）」としても示され、ＣＩＥ  ｕ２'として示される場合もある。
【００６２】
本明細書の発光材料、又は特にそれらの発光材料光は、とりわけ、ＣＩＥ  ｕ'及びｖ'パラメータによって識別される。ＣＩＥ  ｕ'ｖ'座標はＣＩＥ  １９７６色空間を指し、略語ＣＩＥＬＵＶによっても知られている。例えば、３０００Ｋ光（ＢＢＬ上）は、ＣＩＥにおけるｘ，ｙが、０．２５１，０．５２１、又は０．４３７，０．４０３であるｕ'，ｖ'カラーポイントによって特徴付けられる。
【００６３】
実施形態では、第１の発光材料、すなわち黄色及び／又は緑色の発光材料、並びに第２の発光材料、すなわち赤色（及び橙色）発光材料に関して、ｖ'値は約０．５２〜０．５８の範囲、特に黄色／緑色に関しては約０．５５〜０．５８の範囲、橙色／赤色に関しては約０．５２〜０．５５の範囲にある。しかし、他の値も可能であり得る。
【００６４】
上述のように、実施形態では、第１の発光材料及び第２の発光材料は、ＣＩＥ  ｕ'と、ＣＩＥ  ｕ'（第２の発光材料光）＝１．５８*ＣＩＥ  ｕ'（第１の発光材料光）＋０．２５５であるＣＩＥ  ｕ'との最大比、及び、ＣＩＥ  ｕ'と、ＣＩＥ  ｕ'（第２の発光材料光）＝２．３*ＣＩＥ  ｕ'（第１の発光材料光）＋０．０４であるＣＩＥ  ｕ'との最小比、によって定義される、第１の発光材料光及び第２の発光材料光を供給するように選択されてもよい。しかし、他の値も可能であり得る。
【００６５】
照明デバイスは、デバイスの動作中に照明デバイス光を生成するように構成されている。照明デバイス光は、固体光源光、第１の発光材料光、及び第２の発光材料光のうちの１つ以上を含んでいてもよい。それゆえ、実施形態では、照明デバイス光は白色であってもよく、他の実施形態では、照明デバイス光は着色されていてもよい。第１の状態では、照明デバイスは、固体光源光、及び第１の発光材料光及び第２の発光材料光のうちの１つ以上、特に第１の発光材料光及び第２の発光材料光の両方を含む、白色照明デバイス光を供給するように構成されている。
【００６６】
上述のように、白色照明デバイス光は、（ｉ）２２００〜４５００Ｋの範囲から選択された相関色温度、（ｉｉ）少なくとも９０のＣＲＩ、（ｉｉｉ）少なくとも７０のＲ９値、及び（ｉｖ）最大４５５ｎｍのＲ５０値、のうちの１つ以上を特に有する。
【００６７】
用語「相関色温度」又は「ＣＣＴ」は、当該技術分野において既知である。２２００〜４５００Ｋ、特に２７００〜４０００Ｋの値が、物品認識などの観点から、特に、消費者によって高く評価されるように思われ、及び／又は望ましい結果をもたらすように思われる。
【００６８】
用語「演色」も、当該技術分野において既知である。少なくとも９０の演色は、比較的高く、物品認識の観点からは特に望ましい結果をもたらす場合がある。
【００６９】
用語「Ｒ９値」又は「Ｒ９」は、当該技術分野において既知である。ＣＲＩは、Ｒ１〜Ｒ８に基づく平均値である。Ｒ９は、ＣＲＩの計算に使用されない６つの飽和試験色のうちの１つである。本明細書で使用される用語「Ｒ９値」は、Ｒ９に基づく演色評価数であり、従って、タングステンハロゲンランプの場合がそうであってもよいように、（理論的に）１００であり得る。従って、実施形態では、発光デバイスは、少なくとも７０、例えば８０のＲ９値を有する白色照明デバイス光を供給するように構成されていてもよい。
【００７０】
Ｒ５０値は、固体光源光ピークのピーク最大に比較的最も近い波長（ただし、より長い波長）であって、強度が固体光源光ピークのピーク最大に関連付けられた最大強度の５０まで低下した波長を指す。それゆえ、Ｒ５０値は、第１の設定における白色照明デバイス光のスペクトル分布における第１の波長（λ５０）として定義され、第１の波長（λ５０）は、ピーク波長（λＰＷＬ）に最も近いが、（白色光のスペクトル分布における）青色光のピーク波長（λＰＷＬ）よりも長い波長であって、ピーク強度（Ｉ５０）がピーク波長（λＰＷＬ）における強度（ＩＰＷＬ）の５０％である波長である。良好な効率及び／又は彩度を提供するには、比較的短い短波長のＲ５０値が望ましいことが明らかである。上述のように、白色照明デバイス光は、最大４５５ｎｍ、特に最大４５０ｎｍ、より具体的には最大４４５ｎｍ、更により具体的には最大４４０ｎｍのＲ５０値を有する。このような値により、相対的に高い効率及び高い色域を有する良好な白色及び赤色のレンダリングを得ることができる（以下も参照）。例えば、実施形態では、発光デバイスは、第１の設定において、少なくとも９０、例えば少なくとも１００の色域指数（ＧＡＩ）を有する白色照明デバイス光を供給するように構成されていてもよい。
【００７１】
なお更なる実施形態では、発光デバイスは、特に、第１の設定（標準ＣＩＥ  ２°観察者）において、−０．０１６≦Ｄｕｖ≦−０．００５、特に、−０．０１４≦Ｄｕｖ≦−０．００５を有する白色照明デバイス光を供給するように構成されていてもよい。
【００７２】
なお更なる具体的な実施形態では、発光デバイスは、第１の設定において、黒体軌跡（ＢＢＬ）よりも少なくとも０．００５下方にＣＩＥ  ｖ'を有し、黒体軌跡（ＢＢＬ）よりも最大０．０２５下方にＣＩＥ  ｖ'を有する、白色照明デバイス光を供給するように構成される。
【００７３】
これらの条件に適合する、すなわち、これらの式によって定義される比を有するか、又はこれら最大比と最小比との間の値を有する、１つ以上の発光材料が選択される場合は、特に、例えばＣＩＥ及びＧＡＩの所望の光学特性がもたらされ、良好な効率を有する照明デバイスが提供されてもよい。本明細書では、用語「選択する」は、発光材料データのライブラリから、どの発光材料が、及び、どの発光材料の組み合わせが、所望の特性に適合し得るか、例えば、少なくとも上記の２式によって定義される領域内にｕ'座標を有するか、を決定することを含んでもよい。この種の発光材料の選択は、当業者には既知である。発光材料データは、吸収波長、励起波長、発光波長、カラーポイント、ＣＲＩなどを含んでもよい。それゆえ、「発光材料データ」は、特に、発光材料の励起及び発光に関して光学データを含む。下に示したように、用語「発光材料」はまた、複数の発光材料を指してもよい。それゆえ、複数の第１の発光材料が適用される場合、関連するｕ'値は、複数の第１の発光材料の発光材料のスペクトル分布に基づく。同様に、複数の第２の発光材料が適用される場合、関連するｕ'値は、複数の第２の発光材料の発光材料のスペクトル分布に基づく（２つの第２の発光材料が適用され、１つはより橙色であり、他方はより赤色である本明細書の例も参照）。
【００７４】
なお更なる実施形態では、第１の発光材料及び第２の発光材料は、（ａ）０．１０２〜０．１２の範囲のＣＩＥ  ｕ'（第１の発光材料光）、及び０．３８〜０．４３の範囲のＣＩＥ  ｕ'（第２の発光材料光）、更により具体的には、０．１０２〜０．１１８の範囲のＣＩＥ  ｕ'（第１の発光材料光）、及び０．３８〜０．４１５の範囲のＣＩＥ  ｕ'（第２の発光材料光）、又は、（ｂ）０．１３６〜０．１６４の範囲のＣＩＥ  ｕ'（第１の発光材料光）、及び０．４〜０．４７の範囲のＣＩＥ  ｕ'（第２の発光材料光）、更により具体的には、０．１４〜０．１５８の範囲のＣＩＥ  ｕ'（第１の発光材料光）、及び０．４〜０．４４の範囲のＣＩＥ  ｕ'（第２の発光材料光）、によって定義される第１の発光材料光及び第２の発光材料光を供給するように選択される。しかし、本発明はこれら実施形態に限定されない。
【００７５】
実施形態では、照明デバイスは、青色光の一部を緑色及び黄色のうちの１つ以上に強度を有する第１の発光材料光に変換するように構成された第１の発光材料を含む。第１の発光材料は、光源による励起時に、他のスペクトル領域においても光強度を提供してもよい。しかし、特に、第１の発光材料光のスペクトル分布は、特に緑色及び／又は黄色、更により具体的には緑色である。上述のように、用語「第１の発光材料」はまた、第１の発光材料光に寄与する異なるスペクトル分布を有する複数の異なる発光材料を指してもよい。特に、第１の発光材料は、少なくとも８０％のパワーが４７０〜６５０ｎｍのスペクトル領域に、より具体的には４８５〜６３０ｎｍの範囲にあるスペクトル分布を提供するように構成されている。
【００７６】
特に、第１の発光材料は、Ｍ３Ａ５Ｏ１２：Ｃｅ３＋を含んでもよく、Ｍは、Ｓｃ、Ｙ、Ｔｂ、Ｇｄ、及びＬｕからなる群から選択され、Ａは、Ａｌ、Ｇａ、Ｓｃ、及びＩｎからなる群から選択される。特に、Ａはアルミニウム（Ａｌ）を含むが、Ａはまた、部分的にガリウム（Ｇａ）及び／又はスカンジウム（Ｓｃ）及び／又はインジウム（Ｉｎ）を、特にＡｌの最大約２０％を、更に特にＡｌの最大約１０％を含んでもよい（すなわち、Ａイオンは、基本的に９０モル％以上のＡｌと、１０モル％以下のＧａ、Ｓｃ及びＩｎのうちの１つ以上から成る）。Ａは、特に最大約１０％のガリウムを含んでもよい。別の変形形態では、Ａ及びＯは、少なくとも部分的にＳｉ及びＮで置換されてもよい。要素Ｍは、イットリウム（Ｙ）、ガドリニウム（Ｇｄ）、テルビウム（Ｔｂ）、及びルテチウム（Ｌｕ）からなる群から選択されてもよい。用語「：Ｃｅ」又は「：Ｃｅ３＋」は、発光材料中の金属イオンの一部（すなわち、ガーネットでは、「Ｍ」イオンの一部）がＣｅによって置換されていることを示す。例えば、（Ｙ１−ｘＬｕｘ）３Ａｌ５Ｏ１２：Ｃｅ、を仮定すると、Ｙ及び／又はＬｕの一部は、Ｃｅによって置換されている。この表記法は当業者には既知である。Ｃｅは一般に１０％を超えないＭを置換することになり、一般に、Ｃｅ濃度は、特に、０．１〜４％、特に０．１〜２％（Ｍに対して）の範囲にあることになる。１％Ｃｅ及び１０％Ｙを仮定すると、完全な正しい式は、（Ｙ０．１Ｌｕ０．８９Ｃｅ０．０１）３Ａｌ５Ｏ１２となり得る。ガーネット中のＣｅは、当業者に既知なように、実質的に三価の状態であるか、又は三価の状態のみである。用語「ＹＡＧ」は、特に、Ｍ＝Ｙ、及びＡ＝Ａｌを指し、用語「ＬｕＡＧ」は、特にＭ＝Ｌｕ、及びＡ＝Ａｌを指す。特定の実施形態では、第１の発光材料は、Ｍ３Ａ５Ｏ１２：Ｃｅ３＋を含み、Ｍは、Ｓｃ、Ｙ、Ｔｂ、Ｇｄ、及びＬｕからなる群から選択され、ＡはＡｌ、Ｇａ、Ｓｃ、及びＩｎからなる群から選択され、（ｉ）ＭはＬｕを含む、及び（ｉｉ）ＡはＧａを含む、のうちの少なくとも１つ以上が適用される。Ｌｕ及び／又はＧａを選択することにより、発光材料光の主波長は、ＹＡＧに対してより短い波長にシフトされる。
【００７７】
それゆえ、好適な第１の発光材料の具体例は、５１０〜５７０ｎｍ、特に５１５〜５６０ｎｍの範囲から選択されるピーク位置（すなわち、発光材料光スペクトル分布におけるピーク位置）を有し、１００〜１５０ｎｍ、例えば特に１１０〜１４０ｎｍ、約１２０ｎｍのような範囲から選択されるＦＷＨＭを有する発光材料である。特に、これは、セリウムでドープされたガーネットなどの比較的広い帯域を有する緑色発光材料に適用される。
【００７８】
特定の実施形態では、ＡはＧａ及びＡｌを含む。特にそのとき、所望のスペクトル分布が得られてもよい。
【００７９】
代替として又は加えて、実施形態では、第１の発光材料は、発光材料を含む二価ユーロピウムを含み、例えば、ケイ酸塩を含む二価ユーロピウム若しくは窒化物を含む二価ユーロピウム、又は酸窒化物を含む二価ユーロピウム、又はハロゲン化物を含む二価ユーロピウム、又はオキシハロゲン化物を含む二価ユーロピウム、又は硫化物を含む二価ユーロピウム、又は酸化硫化物を含む二価ユーロピウム、又はチオガリウム酸塩を含む二価ユーロピウムを含む。
【００８０】
特定の実施形態では、第１の発光材料は、５１０〜５３０ｎｍの範囲から選択されるピーク最大、及び６０〜８０ｎｍの範囲から選択される半値全幅を有する。これは、特に、より狭い帯域の緑色発光材料に当てはまり得る（以下も参照）。
【００８１】
実施形態では、第１の発光材料は、Ｃａ８Ｍｇ（ＳｉＯ４）４Ｃｌ２：Ｅｕ２＋、及びＣａ８Ｚｎ（ＳｉＯ４）４Ｃｌ２：Ｅｕ２＋、のうちの１つ以上を含む（Ｓ．Ｏｋａｍｏｔｏ  ａｎｄ  Ｈ．Ｙａｍａｍｏｔｏ，Ｅｌｅｃｔｒｏｃｈｅｍｉｃａｌ  ａｎｄ  ｓｏｌｉｄ−ｓｔａｔｅ  ｌｅｔｔｅｒｓ，１２，（１２）Ｊ１１２−Ｊ１１５（２００９）、に記載されているような）。更なる実施形態では、第１の発光材料はβ−ＳｉＡｌＯＮ：Ｅｕ２＋をベースとする緑色発光蛍光体、特に式、Ｅｕｘ（Ａ１）６−ｚ（Ａ２）ｚＯｙＮ８−ｚ（Ａ３）２（ｘ＋ｚ−ｙ），を有するものであり、式中、０＜ｚ≦４．２；０≦ｙ≦ｚ；０＜ｘ≦０．１；Ａ１は、Ｓｉ、Ｃ、Ｇｅ、及び／又はＳｎであり、Ａ２は、Ａｌ、Ｂ、Ｇａ、及びＩｎのうちの１つ以上を含み、Ａ３は、Ｆ、Ｃｌ、Ｂｒ、及びＩのうちの１つ以上を含む。Ｅｕｘ（Ａ１）６−ｚ（Ａ２）ｚＯｙＮ８−ｚ（Ａ３）２（ｘ＋ｚ−ｙ）によって記載される化合物の新しいセットは、β−Ｓｉ３Ｎ４と同じ構造を有する。要素Ａ１及びＡ２の両方がＳｉ部位上に存在し、Ｏ及びＮの両方が、β−Ｓｉ３Ｎ４結晶構造の窒素部位を占める。Ａ３−アニオン（ハロゲンとして定義される）のモル量（ｚ−ｙ）は、窒素部位上に存在する。更に、例えば次を参照のこと。Ｓｙｎｔｈｅｓｉｓ  ａｎｄ  Ｐｈｏｔｏｌｕｍｉｎｅｓｃｅｎｃｅ  Ｐｒｏｐｅｒｔｉｅｓ  ｏｆ  β−ｓｉａｌｏｎ：Ｅｕ２＋（Ｓｉ６−ｚＡｌｚＯｚＮ８−ｚ：Ｅｕ２＋），Ａ  Ｐｒｏｍｉｓｉｎｇ  Ｇｒｅｅｎ  Ｏｘｙｎｉｔｒｉｄｅ  Ｐｈｏｓｐｈｏｒ  ｆｏｒ  Ｗｈｉｔｅ  Ｌｉｇｈｔ−Ｅｍｉｔｔｉｎｇ  Ｄｉｏｄｅｓ，Ｒ．−Ｊ．Ｘｉｅｚ，Ｎ．Ｈｉｒｏｓａｋｉ，Ｈ．−Ｌ．Ｌｉ，Ｙ．Ｑ．Ｌｉ  ａｎｄ  Ｍ．Ｍｉｔｏｍｏ，Ｊ．Ｅｌｅｃｔｒｏｃｈｅｍ．Ｓｏｃ．２００７  ｖｏｌｕｍｅ  １５４，ｉｓｓｕｅ  １０，Ｊ３１４−Ｊ３１９．
【００８２】
好適な第１の発光材料の具体例は、５１０〜５３０ｎｍ、特に５１５〜５２５ｎｍの範囲から選択されるピーク位置（すなわち、発光材料光スペクトル分布におけるピーク位置）を有し、５０〜９０ｎｍ、例えば特に６０〜８０ｎｍ、約７０ｎｍのような範囲から選択されるＦＷＨＭを有する発光材料である。特に、これは、比較的狭い帯域の緑色発光材料に適用される。
【００８３】
更に、上述のように、照明デバイスは、青色光及び第１の発光材料光のうちの１つ以上の一部を、橙色及び赤色のうちの１つ以上に強度を有する第２の発光材料光に変換するように構成された第２の発光材料を特に含む。第２の発光材料は、光源による励起時に、他のスペクトル領域においても光強度を提供してもよい。しかし、特に、第２の発光材料光のスペクトル分布は、特に橙色及び／又は赤色、更により具体的には赤色である。上述のように、用語「第２の発光材料」はまた、第２の発光材料光に寄与する異なるスペクトル分布を有する複数の異なる発光材料を指してもよい。特に、第２の発光材料は、５７０〜７６０ｎｍのスペクトル領域におけるパワーの少なくとも８０％が５８５〜７２０ｎｍの範囲にあるスペクトル分布を提供するように構成されている。
【００８４】
実施形態では、第２の発光材料は、（Ｂａ，Ｓｒ，Ｃａ）Ｓ：Ｅｕ，（Ｂａ，Ｓｒ，Ｃａ）ＡｌＳｉＮ３：Ｅｕ及び（Ｂａ，Ｓｒ，Ｃａ）２Ｓｉ５Ｎ８：Ｅｕからなる群から選択される１つ以上の材料を含んでもよい。これらの化合物において、ユーロピウム（Ｅｕ）は、実質的に二価又は二価のみであり、示された二価カチオンの１つ以上を置換する。一般に、Ｅｕは、カチオンの１０％よりも大きい量では存在せず、存在は、特に、置換するカチオンに対して、約０．５〜１０％の範囲、より具体的には、約０．５〜５％の範囲にある。用語「：Ｅｕ」は、金属イオンの一部がＥｕ（これらの例ではＥｕ２＋）で置換されていることを示す。例えば、ＣａＡｌＳｉＮ３：Ｅｕ中、２％のＥｕを仮定すると、正しい式は、（Ｃａ０．９８Ｅｕ０．０２）ＡｌＳｉＮ３であり得る。二価ユーロピウムは、一般に、上記二価アルカリ土類カチオン、特にＣａ、Ｓｒ又はＢａなどの二価カチオンを置換する。
【００８５】
材料（Ｂａ，Ｓｒ，Ｃａ）Ｓ：Ｅｕは、ＭＳ：Ｅｕとしても示すことができ、Ｍは、バリウム（Ｂａ）、ストロンチウム（Ｓｒ）、及びカルシウム（Ｃａ）からなる群から選択される１つ以上の元素であり、特に、Ｍは、この化合物では、カルシウム若しくはストロンチウム、又はカルシウム及びストロンチウム、より具体的にはカルシウムを含む。ここで、Ｅｕが導入され、Ｍの少なくとも一部（すなわち、Ｂａ、Ｓｒ及びＣａのうちの１つ以上）を置換する。
【００８６】
更に、材料（Ｂａ，Ｓｒ，Ｃａ）２Ｓｉ５Ｎ８：Ｅｕはまた、Ｍ２Ｓｉ５Ｎ８：Ｅｕとしても示すことができ、Ｍは、バリウム（Ｂａ）、ストロンチウム（Ｓｒ）、及びカルシウム（Ｃａ）からなる群から選択される１つ以上の元素であり、特に、Ｍは、この化合物では、Ｓｒ及び／又はＢａを含む。更なる特定の実施形態では、Ｍは、Ｓｒ及び／又はＢａ（Ｅｕの存在を考慮しない）からなり、特にＢａは５０〜１００％、より具体的には５０〜９０％、及びＳｒは５０〜０％、特に５０〜１０％であり、例えば、Ｂａ１．５Ｓｒ０．５Ｓｉ５Ｎ８：Ｅｕ（すなわち、７５％Ｂａ；２５％Ｓｒ）である。ここで、Ｅｕが導入され、Ｍの少なくとも一部、すなわち、Ｂａ、Ｓｒ及びＣａのうちの１つ以上）を置換する。
【００８７】
同様に、材料（Ｂａ，Ｓｒ，Ｃａ）ＡｌＳｉＮ３：Ｅｕはまた、ＭＡｌＳｉＮ３：Ｅｕとして示されてもよく、Ｍは、バリウム（Ｂａ）、ストロンチウム（Ｓｒ）、及びカルシウム（Ｃａ）からなる群から選択される１つ以上の元素であり、特に、Ｍは、この化合物では、カルシウム若しくはストロンチウム、又はカルシウム及びストロンチウム、より具体的にはカルシウムを含む。ここで、Ｅｕが導入され、Ｍの少なくとも一部（すなわち、Ｂａ、Ｓｒ及びＣａのうちの１つ以上）を置換する。
【００８８】
特定の実施形態では、第２の発光材料は、ＭＡｌＳｉＮ３：Ｅｕを含み、Ｍは、バリウム（Ｂａ）、ストロンチウム（Ｓｒ）、及びカルシウム（Ｃａ）、からなる群から選択される１つ以上の元素であり、特にＳｒ及びＣａのうちの１つ以上である。一実施形態では、第２の発光材料は、ＣａＡｌＳｉＮ３：Ｅｕ（「ｅＣＡＳ」）を含み、別の実施形態では、第２の発光材料は、ＳｒＡｌＳｉＮ３：Ｅｕ（ｅＳＣＡＳ）を含む。後者は、前者に対して最大約３０ｎｍシフトされた青色である。特に、これらタイプの発光材料は、第１の発光材料及び光源と共に所望の光学特性を提供し得る。更なる特定の実施形態では、第２の発光材料は、異なるＭＡｌＳｉＮ３：Ｅｕ化合物であって、Ｍが少なくともＣａを含む第１の化合物、及びＭが少なくともＳｒを含む第２の化合物を有する化合物を含む。ゆえに、そのような第１の化合物では、Ｍは主として、例えば少なくとも５０％、更により具体的には、少なくとも９０％はＣａを含んでもよく、そのような第２の化合物では、Ｍは主として、例えば少なくとも５０％、更により具体的には、少なくとも９０％のＳｒを含んでもよい。Ｍの一部は、例えば、約０．１〜４％はＥｕで置換される。
【００８９】
好適な第２の発光材料の具体例は、６１０〜６８０ｎｍ、特に６１６〜６５０ｎｍの範囲から選択されるピーク位置（すなわち、発光材料光スペクトル分布におけるピーク位置）を有し、６０〜１５０ｎｍ、例えば特に６０〜１３０ｎｍ、約８０〜１２０ｎｍのような範囲から選択されるＦＷＨＭを有する発光材料である。
【００９０】
特定の実施形態では、第２の発光材料は、６１０〜６４０の範囲から選択される最初の第２のピーク最大、及び６０〜１１０ｎｍの範囲から選択される半値全幅を有する最初の第２の発光材料と、６３０〜６８０ｎｍの範囲から選択される第２の発光材料のピーク最大を有し、６０〜１３０ｎｍの範囲から選択される半値全幅を有する第２の発光材料と、を含み、最初の第２のピーク最大と第２のピーク最大は、少なくとも１０ｎｍ、例えば１５〜４０ｎｍの範囲だけ異なる。最初の第２の発光材料は、第２の発光材料よりわずかに橙色が強くてもよく、（従って）第２の発光材料は、最初の第２の発光材料よりわずかに赤色が強くてもよい。
【００９１】
第２の発光材料が、ＭＡｌＳｉＮ３：Ｅｕを含む場合に、特に良好な結果が得られてもよく、Ｍは、バリウム（Ｂａ）、ストロンチウム（Ｓｒ）、及びカルシウム（Ｃａ）からなる群から選択される１つ以上の元素を含み、第２の発光材料は、（少なくとも２つの）異なるＭＡｌＳｉＮ３：Ｅｕ化合物であって、Ｍが少なくともＣａを含む第１の化合物、及びＭが少なくともＳｒを含む第２の化合物を有する化合物を含む。
【００９２】
それゆえ、照明デバイスは、第１の発光材料及び／又は第２の発光材料を含み、特に、光源に放射的に結合された第１の発光材料及び第２の発光材料の少なくとも両方を含む。第１の発光材料は特に、緑色、黄色、又は任意選択的に橙色の主波長を有する第１の発光材料光を供給するように構成される。第２の発光材料は特に、赤色の主波長を有する第２の発光材料光を供給するように構成される。それゆえ、第１の発光材料及び第２の発光材料は異なる発光材料である。当然ながら、照明デバイスは、更なる発光材料を含んでもよい。
【００９３】
従って、発光デバイスの特定の実施形態では、
固体光源は、４３０〜４５５ｎｍ、特に４３５〜４４５ｎｍの範囲から選択されるピーク波長（λＰＷＬ）を有する青色光を供給するように構成され、
固体光源はＬＥＤダイを有し、照明デバイスは、第１の発光材料及び第２の発光材料を含む光変換器を備え、光変換器は、ＬＥＤダイと物理的に接触しており、
第１の発光材料は、Ｍ３Ａ５Ｏ１２：Ｃｅ３＋を含み、Ｍは、Ｓｃ、Ｙ、Ｔｂ、Ｇｄ、及びＬｕからなる群から選択され、ＡはＡｌ、Ｇａ、Ｓｃ、及びＩｎからなる群から選択され、ＡはＧａ及びＡｌを含み、
第２の発光材料は、ＭＡｌＳｉＮ３：Ｅｕを含み、Ｍは、バリウム（Ｂａ）、ストロンチウム（Ｓｒ）、及びカルシウム（Ｃａ）からなる群から選択される１つ以上の元素を含み、第２の発光材料は、異なるＭＡｌＳｉＮ３：Ｅｕ化合物であって、Ｍが少なくともＣａを含む第１の化合物、及びＭが少なくともＳｒを含む第２の化合物を有する化合物を含み、
発光デバイスは、第１の設定において、最大４５５ｎｍ、特に最大４５０ｎｍのＲ５０値を有する白色照明デバイス光を供給するように構成される。
【００９４】
発光材料は、主として又は更には全体が発光材料からなる、発光材料のコーティングなどのようにそれ自体で提供されてもよく、又はシリコーンマトリックス若しくはＰＭＭＡマトリックスなどのマトリックス中に埋め込まれてもよい。これら実施形態の組み合わせも可能であり得る。異なる発光材料は、異なる方法で提供されてもよく、例えば、異なるマトリックス層内に、又は異なるマトリックス内に提供されてもよい。
【００９５】
特定の実施形態では、固体光源はＬＥＤダイを有し、照明デバイスは、第１の発光材料及び第２の発光材料を含む光変換器を備え、光変換器は、ＬＥＤダイと物理的に接触している。任意選択的に、光変換器は、発光材料のうちの１つのみを含んでもよいことに留意されたい。更に、用語「光変換器」はまた、複数の（異なる）光変換器を指す場合がある。更に、複数の光源が適用される場合、１つ以上の光源が、実質的に第１の発光材料のみを含む１つ以上の光変換器に放射的に結合されてもよく、１つ以上の光源が、実質的に第２の発光材料のみを含む１つ以上の光変換器に放射的に結合されてもよい。光変換器は、ガーネット材料、又は樹脂、ＰＭＭＡ若しくはシロキサンポリマーのようなポリマー材料、を含んでもよい。光変換器は、光源光及び発光材料光に対して透過性である。前述の実施形態のうちの１つ以上と組み合わされてもよい、なお更なる実施形態では、光変換器は光源と物理的に接触していないが、例えばＬＥＤダイから一定距離に、例えばＬＥＤダイから０．５〜１００ｍｍに構成される。
【００９６】
照明デバイスは特に、（第１の設定において）白色光を供給するように構成される。それゆえ、特に、照明デバイスは、照明デバイスの第１の設定において白色照明デバイス光を供給するように構成される。「照明デバイスの第１の設定において」という語句は、照明デバイスが、少なくとも「オン」などの単一の設定を少なくとも含むことを示す。それゆえ、本発明はまた、「オン」及び「オフ」以外の強度の調整が（実質的に）できない照明デバイスを提供する。２つ以上の光源が存在する場合には、特に、複数の設定が利用可能であってもよい。複数の設定が可能である場合、少なくとも１つの設定は白色光を供給してもよい。他の設定は、異なる色温度を有する白色光、又は着色光を供給してもよい。
【００９７】
本明細書における白色光という用語は、当業者には既知である。特に、白色光とは、約２０００〜２００００Ｋ、特に２７００〜２００００Ｋ、一般的な照明に関しては、特に約２７００Ｋ〜６５００Ｋの範囲、バックライトの目的に関しては、特に約７０００Ｋ〜２００００Ｋの範囲の相関色温度（correlated color temperature、ＣＣＴ）を有し、特に、ＢＢＬ（黒体軌跡）から約１５ＳＤＣＭ（standard deviation of color matching、等色標準偏差）の範囲内、特にＢＢＬから約１０ＳＤＣＭの範囲内、更にいくつかの実施形態では、ＢＢＬから約５ＳＤＣＭの範囲内である光に関連する。
【００９８】
それゆえ、照明デバイスが、（光源を制御することによって）照明デバイス光を制御するように構成された制御システムを更に備える場合は特に、複数の設定が提供され得る。従って、なお更なる一実施形態では、発光デバイスは、（１つ以上の）（固体）光源に供給される電力を制御するように構成された制御システムを更に含んでもよい。代替として又は加えて、制御システムは発光デバイスの外部に（構成されて）存在していてもよい。任意選択的に、制御システムは複数の要素を含んでもよく、ある要素は発光デバイスに含まれてもよく、他の要素は発光デバイスの外部にあってもよい（遠隔ユーザインタフェースなどであり、以下も参照のこと）。発光デバイスは、例えば、本明細書に記載されたものとは別の、複数の発光デバイス及び任意の他のタイプの発光デバイスと共に、照明システムに一体化されていてもよい。
【００９９】
なお更なる一実施形態では、制御システムは、ユーザインタフェースの入力信号の関数として、１つ以上の（固体）光源に供給される電力を制御するように構成される。このユーザインタフェースは、発光デバイスに一体化されていてもよいが、発光デバイスから離れていてもよい。それゆえ、ユーザインタフェースは、実施形態では、発光デバイスに一体化されていてもよいが、他の実施形態では、発光デバイスとは別個であってもよい。ユーザインタフェースは、例えば、グラフィカルユーザインタフェースであってもよい。更に、ユーザインタフェースが、例えばスマートフォン又は他の種類のアンドロイド（登録商標）デバイス用のアプリケーションによって提供されてもよい。従って、本発明はまた、記録担体（記憶媒体）上に任意選択的に実装されたコンピュータプログラムを提供し、コンピュータプログラムは、コンピュータ上で動作するとき、本明細書に記載の方法を実行し（以下を参照）、及び／又は発光デバイス（の発光デバイス光の色温度）を、本明細書に記載されるように（１つ以上の（固体）光源に供給される電力の関数として）制御することができる。
【０１００】
代替として又は加えて、制御システムは、センサ信号及びタイマのうちの１つ以上の関数として、１つ以上の（固体）光源に供給される電力を制御するように構成される。この目的のために、例えば、タイマ及び／又はセンサが使用されてもよい。例えば、所定時間後にスイッチを切るためにタイマが使用されてもよい。更に、例えばセンサは、動きを感知するように構成されたモーションセンサであって、制御システムが、モーションセンサが例えば人物の動き又は存在を感知したときに発光デバイスのスイッチを入れるように構成されていてもよい。更に、センサは、例えば、（発光デバイス光によって照射された）製品によって反射された光、特に発光デバイス光を感知するための光センサであってもよい。
【０１０１】
それゆえ、更なる一態様において、本発明はまた、本明細書で規定されるような発光デバイス、及び発光デバイスを制御するように構成された制御システムを含む、照明システムを提供する。上述のように、制御システムはまた、照明デバイスに含まれていてもよい。照明システムは、特に、照明デバイスを制御するように構成された制御システム、並びに本明細書に記載されるような複数の照明デバイス及び任意選択的に他の照明デバイスなどの１つ以上の他のデバイスを含んでもよい。制御システムは、センサ信号及びタイマのうちの１つ以上の関数として照明デバイスを制御してもよい（上記も参照のこと）。
【０１０２】
上述のように、所望の光学特性を提供するために、発光材料データを有するライブラリから発光材料を選択する方法は、当業者には既知である。
【０１０３】
なお更なる実施形態では、照明デバイスは、照明デバイス光の第１の設定において、少なくとも８０、特に少なくとも９０の演色評価数（ＣＲＩ）を有する白色照明デバイス光を供給するように構成されている。それゆえ、特に、光源及び発光材料は、照明デバイス光のそのようなＣＲＩを（第１の設定において）提供できるように選択される。
【０１０４】
更なる実施形態では、照明デバイスは、照明デバイス光の第１の設定において、少なくとも８０、更により具体的には少なくとも９０、なお更により具体的には少なくとも１００、例えば１０１〜１２０の範囲の色域指数（ＧＡＩ）を有する白色照明デバイス光を供給するように構成されている。それゆえ、特に、光源及び発光材料は、そのようなＧＡＩを（第１の設定において）提供できるように選択される。
【０１０５】
発光デバイスの特定の実施形態では、固体光源、第１の発光材料及び第２の発光材料は、３８０〜４９５ｎｍのスペクトル領域におけるパワーの少なくとも８０％が４４０〜４８０ｎｍの範囲にあり、４７０〜６５０ｎｍのスペクトル領域におけるパワーの少なくとも８０％が４８５〜６３０ｎｍの範囲にあり、５７０〜７６０ｎｍのスペクトル領域におけるパワーの少なくとも８０％が５８５〜７２０ｎｍの範囲にあるスペクトル分布を提供するように構成されている。なお更により具体的には、固体光源、第１の発光材料及び第２の発光材料は、４４０〜４５０ｎｍの範囲から選択される第１の最大値を有し、１５〜３０ｎｍの範囲から選択される半値全幅を有するスペクトル分布（すなわち、特に光源によって提供される）と、５１５〜５４５ｎｍの範囲から選択される第２の最大値（第１の発光材料による）、及び６１０〜６３０ｎｍの範囲から選択される第３の最大値（第２の発光材料による）を有する少なくとも２つの最大部を含む帯域と、を提供するように構成され、帯域は、５００〜６８０ｎｍの波長範囲全体にわたって、第１の最大値の少なくとも４０％（ワット）の強度を有する。発光帯は、第１の発光材料及び第２の発光材料の発光によって提供される。換言すれば、このような発光デバイスの発光スペクトルの高さは、４３５〜４５０ｎｍに第１の最大を有し、５００〜６８０ｎｍの全波長範囲にわたって、スペクトル強度は、４４０〜４５０ｎｍにおけるピーク最大の少なくとも５０％の大きさである。
【０１０６】
更により具体的には、固体光源は、４３０〜４５５ｎｍの範囲から選択されるピーク波長を有する青色光を供給するように構成され、第１の発光材料は、Ｍ３（Ａｌ，Ｇａ）５Ｏ１２：Ｃｅを含み、第２の発光材料は、ＣａＡｌＳｉＮ３：Ｅｕ、及びＳｒＡｌＳｉＮ３：Ｅｕを（それぞれ含む、少なくとも２つの発光材料を）含み、Ｍは上記に定義した通りであり、特にＡはＡｌ及びＧａの両方を含む。
【０１０７】
いくつかの好適な材料が以下に（最初の表に）示され、材料は、正しい比率で組み合わされ、青色光源と放射的に結合されたときに、動作時に、本明細書に記載される所望の特性を有する白色照明デバイス光を供給してもよい。
【０１０８】
【表１】
2020520556.tif 000003
【０１０９】
好適な特性を有する照明デバイス光のいくつかの実施形態を以下に提供する。
【０１１０】
【表２】
2020520556.tif 000004
【０１１１】
他の実施形態も可能であってもよい。
【０１１２】
例えば、この第２テーブルのデータと比較して、ｕ'及びｖ'のうちの１つ以上は、これら値の最大５％異なっていてもよい。例えば、ｕ'は、０．２４９*１．０５、又は０．２４９*０．９５である。又は、例えば、ｖ'は０．５１２*１．０５又は０．５１２*０．９５．である。特に、この表のデータに対して、ｕ'及びｖ'のうちの１つ以上は最大において、例えば、最大２％、更により具体的には最大１％、異なっていてもよい。
【０１１３】
例えば、この表のデータと比較して、ｘ及びｙのうちの１つ以上は、これら値の最大５％異なっていてもよい。例えば、ｘは０．４２３*１．０５、又は０．４２３*０．９５である。又は、例えば、ｙは０．３７９*１．０５、又は０．３７９*０．９５である。特に、この表のデータに対して、ｕ'及びｖ'のうちの１つ以上は最大において、例えば、最大２％、更により具体的には最大１％、異なっていてもよい。
【０１１４】
照明デバイスは、例えば、オフィス照明システム、家庭用アプリケーションシステム、店舗照明システム、家庭用照明システム、アクセント照明システム、スポット照明システム、劇場照明システム、光ファイバアプリケーションシステム、投影システム、自己点灯ディスプレイシステム、画素化ディスプレイシステム、セグメント化ディスプレイシステム、警告標識システム、医療用照明アプリケーションシステム、インジケータ標識システム、装飾用照明システム、ポータブルシステム、自動車用アプリケーション、温室照明システム、園芸用照明、又はＬＣＤバックライトの一部であってもよく、若しくは、それらに適用されてもよい。
【０１１５】
照明デバイスは、ホスピタリティ照明、小売店照明などで使用されてもよい。更に、照明デバイスは、レトロフィットランプとして構成されてもよい。更に、照明デバイスは光学素子を含んでもよい。例えば、実施形態では、照明デバイスは、放物面アルミニウム反射鏡（ＰＡＲ）ランプとして構成される。
【図面の簡単な説明】
【０１１６】
ここで、本発明の実施形態が、添付の概略図面を参照して例としてのみ説明され、図面中、対応する参照記号は、対応する部分を示す。
【図１ａ】本発明のいくつかの態様を概略的に示す。
【図１ｂ】本発明のいくつかの態様を概略的に示す。
【図１ｃ】本発明のいくつかの態様を概略的に示す。
【図２】第１の赤色又は橙色の蛍光体及び第２の橙色又は赤色の蛍光体と組み合わせて、ＧａＹＡＧ緑色（又は緑色／黄色）蛍光体（ＧａＹＡＧ）を用いて作製された、プレミアムホワイト製品のスペクトルを示す。赤色蛍光体の混合物が、ＣＲＩ≧９０及びＲ９＝７０）を得るように調整され、波長は、使用されたＬＥＤのピーク波長を示し、ＰＷ９３０は、基準のプレミアムホワイト製品を示す。
【図３】図２に示されている様々なスペクトルに対してＲ５０（ｎｍ）（グラフ内でλ５０として示す）を示す。
【図４】標準的な２°観察者（白丸）、及びＣＩＥ  ２００６−１０°観察者（白四角）を使用して計算されたＣＩＥ  ｕ'ｖ'カラーポイントを示す。ラベルは、４つのサンプルのＲ５０（ｎｍ）を与え、
【図５】ＣＩＥ  ｖ'カラーポイント（ＣＩＥ  ２００６−１０°観察者）を、Ｒ５０（ｎｍ）の関数として示す。出発カラーポイントは、全ての場合において（０．２４９，０．５１２）である（標準ＣＩＥ  ２°観察者を使用して計算した）。
【図６】様々なＰＷＬを有する白色ＬＥＤスペクトルに対する、ＩＥＳ  ＴＭ３０−１５（スケール−０．１５から＋０．１５）で定義される色相ビン１−１６の彩度の変化を、ＰＷ９３０及びＣＤＭと比較して示す。
【図７】異なる緑色蛍光体（ＧａＹＡＧ対ＬｕＡＧ）の青色ＬＥＤのＰＷＬの関数としてのＲ５０（ｎｍ）を示す。  概略図面は必ずしも正しい縮尺ではない。
【図８】Ｊｏｓｔらによる研究で使用された、試験光源の平均演色評価数グラフの例である。グラフは、８つのＣＩＥ１９７４試験色票（ＣＩＥ出版物１３．３−１９９５にて定義）の彩度及び色相シフトの変化を示す。破線円は、原点までの１の距離を示し、一方、試験光源の点を結ぶ実線は、色域の相対的増加を示す。グラフ中の矢印は、基準光に対する、８つの試験色票の彩度及び色相の変化を表す。
【発明を実施するための形態】
【０１１７】
図１ａは、本明細書で説明されるような照明デバイス１００の一実施形態を概略的に示す。照明デバイス１００は、青色光源光１１を供給するように構成された光源１０と、光源光１１の少なくとも一部を、緑色スペクトル領域及び黄色スペクトル領域のうちの１つ以上において光強度を有する第１の発光材料光２１１に変換するように構成された第１の発光材料２１０と、（ｉ）光源光１１の少なくとも一部、又は（ｉｉ）光源光１１の少なくとも一部及び第１の発光材料光２１１の少なくとも一部を、橙色及び／又は赤色のスペクトル領域において光強度を有する第２の発光材料光２２１に変換するように構成された第２の発光材料２２０と、を含む。
【０１１８】
更に、照明デバイスは、光出射面１１０を備える。本明細書の図１ａの実施形態では、これはウィンドウ１０５の下流面であってもよい。
【０１１９】
用語「上流」及び「下流」は、光生成手段（ここでは特に第１光源）からの光の伝搬に対する項目又は特徴部の配設に関するものであり、光生成手段からの光線内の第１の位置に対して、光線内で光生成手段により近い第２の位置が「上流」であり、光線内で光生成手段から更に遠い第３の位置は「下流」である。
【０１２０】
図１ｂでは、これは変換器２００の下流面である。ここで、図１ａ〜図１ｃでは、変換器２００は、第１の発光材料２１０及び第２の発光材料２２０を、例えば、層（図１ａ）、又は混合物（図１ｂ、図１ｃ）として備える。なお、変換器２００はまた、第１の発光材料２１０及び第２の発光材料２２０以外の材料及び／又は層を含んでもよいことに留意されたい。図１ａでは、変換器は、ここではウィンドウ１０５の上流の光出射面の上流に構成されている。特に、第１の発光材料２１０及び第２の発光材料２２０の別個の層を使用する場合、後者は、第１の発光材料光２１１の吸収を更に促進するために、前者の下流に構成される。第２の発光材料２２０が第１の発光材料光２１１を実質的に吸収しない場合は、層の順序もまた尊重されてもよい。更に、混合物も適用されてもよい（図１ｂ、図１ｃを参照）。
【０１２１】
更に、照明デバイス１００は、光出射面１１０の下流に照明デバイス光１０１を供給するように構成されている。ここで、図１ａに示すように、照明デバイス光１０１は、光源光１１、第１の発光材料光２１１、及び第２の発光材料光２２１のうちの１つ以上を含む。上述のように、第２の発光材料２２０は、（ｉ）光源光１１、又は（ｉｉ）光源光１１及び第１の発光材料光２１１、によって少なくとも部分的に飽和されるように構成されている。
【０１２２】
第１及び／又は第２の発光材料と、光源１０、特に発光面との間の距離は参照ｄ１で示され、図１ｃの場合には（実質的に）ゼロであり（ｄ１は図１ｃには図示せず）、これは０．１〜５０ｍｍの範囲に、特に、例えば図１ａ及び図１ｂの実施形態では１〜２０ｍｍにあってもよい。概略的に示される実施形態では、距離ｄ１は、ＬＥＤダイなどの固体光源１２０の光出射面（又は発光面）１２２間の距離である。
【０１２３】
図１ｂは、ユーザインタフェース１４０を含んでもよい制御システム１３０を概略的に更に示す。それゆえ、図１ｂも照明システム１０００を概略的に示す。
【０１２４】
照明デバイス１００は、白色照明デバイス光１０１を供給するために特に適用されてもよい。
【０１２５】
それゆえ、とりわけ、本発明は、青色光を供給するための光源と、第１の発光材料光を供給するための第１の発光材料と、第２の発光材料光を供給するための第２の発光材料とを提供し、青色光に対して１１〜１４％、特に１１．９〜１２．７％の範囲の、第１の発光材料光に対して３１〜３５％、特に３２．７〜３３．５％の範囲の、第２の発光材料光に対して５２〜５７％、特に５３．９〜５５．３％の範囲の、スペクトル分布（ワット）を有する白色照明デバイス光を（第１の設定において）供給するように構成されている。更により具体的には、本発明は、青色光を供給するための光源と、第１の発光材料光を供給するための第１の発光材料と、第２の発光材料光を供給するための第２の発光材料とを提供し、第２の発光材料は、最初の第２の発光材料光を供給するための最初の第２の発光材料と、第２の発光材料光を供給するための第２の発光材料とを含み、青色光に対して１１〜１４％、特に１１．９〜１２．７％の範囲の、第１の発光材料光に対して３１〜３５％、特に３２．７〜３３．５％の範囲の、及び最初の第２の発光材料光に対して２８〜５０％、特に２９．８〜４７．９％の範囲の、及び第２の発光材料光に対して５〜２７％、特に６〜２５．５％の範囲の、スペクトル分布（ワット）を有する白色照明デバイス光を（第１の設定において）供給するように構成されている。特に、これは、６０〜９０ｎｍの範囲など、比較的狭い帯域幅を有する第１の発光材料に適用される。
【０１２６】
それゆえ、とりわけ、本発明は、青色光を供給するための光源と、第１の発光材料光を供給するための第１の発光材料と、第２の発光材料を供給するための第２の発光材料とを提供し、青色光に対して１１〜１３％、特に１１．４〜１２．２％の範囲の、第１の発光材料光に対して４０〜４７％、特に４１〜４５．９％の範囲の、第２の発光材料光に対して４１〜４９％、特に４２．１〜４７．６％の範囲の、スペクトル分布（ワット）を有する白色照明デバイス光を（第１の設定において）供給するように構成されている。更により具体的には、本発明は、青色光を供給するための光源と、第１の発光材料光を供給するための第１の発光材料と、第２の発光材料を供給するための第２の発光材料とを提供し、第２の発光材料は、最初の第２の発光材料光を供給するための最初の第２の発光材料と、第２の発光材料光を供給するための第２の発光材料とを含み、青色光に対して１１〜１３％、特に１１．４〜１２．２％の範囲の、第１の発光材料光に対して４０〜４７％、特に４１〜４５．９％の範囲の、及び最初の第２の発光材料光に対して０〜１６％、特に０〜１４．６％の範囲の、及び第２の発光材料光に対して３０〜４８％、特に３２〜４６％の範囲の、スペクトル分布（ワット）を有する白色照明デバイス光を（第１の設定において）供給するように構成されている。
【０１２７】
スペクトル分布（可視光）の百分率を加算すると１００％になる。
【０１２８】
最終的な白色スペクトルにおける青色励起位置の効果は、白色「レンダリング」及び色域に影響を及ぼす。青色ＬＥＤピークをより短い波長に向かってシフトさせることにより、より良好な（白色がより強い）白色「レンダリング」をもたらし、色域を増加させる。色域の拡張は、黄色及び青色の方向にあり、従って、過酷な効率ペナルティをもたらさない。黄色−青色の方向における過飽和が、ＣＤＭ−ｅｌｉｔｅ及びＣＤＭ−ｕｌｔｉｍｏのような高圧放電ランプに関しても生じ、これは一般に、最良の一般的な小売店照明スペクトルを与えるものと見られている。
【０１２９】
とりわけ、以下のうちの１つ以上が適用されるＬＥＤベースの光デバイスが提案される。
１．Ｒ５０（ｎｍ）≦４５５ｎｍ、より具体的にはＲ５０（ｎｍ）≦４５０ｎｍ
２．ＣＲＩ≧９０
３．Ｒ９≧７０
４．ＣＣＴ＝２７００〜４０００Ｋ
５．−０．００５≧Ｄｕｖ≧−０．０１４（すなわち、ＢＢＬより約６〜１４ポイント下）
６．Ｒｇ≧１００
【０１３０】
特に、少なくとも第１の条件が適用される。更により具体的には、他の条件のうちの１つ以上も適用される。このようにして、白色「レンダリング」、高彩度指数、ＣＤＭ−ｅｌｉｔｅとしての知覚、及び良好な効率を得ることができる。良好な白色「レンダリング」は、紫色のＬＥＤを追加することによって得ることができるが、費用がかかり、有意な効率ペナルティを有する。高彩度指数は、深赤色蛍光体を追加することによって、すなわち、赤色彩度を増加させることによって得ることができるが、これはまた、有意な効率ペナルティを有する。ＣＤＭ−ｅｌｉｔｅの知覚を模倣するために、黄色−青色の方向における過飽和が必要となる場合がある。白色スペクトルの青色ピークをより短い波長にシフトさせることによって、本発明の目的が実現されることができることを、本発明者らは驚くべきことに見出した。これは、青色ＬＥＤ波長を調整すること、及び／又は（緑色）蛍光体の吸収を調整することなど様々な方法で実現されることができる。ＬＥＤは、ＧａＹＡＧ、及び第１の赤色又は橙色蛍光体と、第２の橙色又は赤色蛍光体との混合物、を使用して作製され、２つの赤色蛍光体の比を調整して、７０のＲ９、及びＣＲＩ≧９０を得た。図２も参照されたい。４４０〜４５５ｎｍの異なるポンプ波長（ＰＷＬ）を有する青色ＬＥＤを使用した。ターゲットのカラーポイントは、全てのサンプルについてＣＩＥ  ｕ'ｖ'で０．２４９，０．５１２であった。異なる赤色／橙色の発光材料の比を変化させて、ＣＲＩ及びＲ９を本質的に等しく維持した。
【０１３１】
最終的なスペクトルにおける青色ピーク位置は、使用される蛍光体に依存することになる。最終的な白色スペクトルにおける青色ピーク位置は、Ｒ５０（ｎｍ）によって特徴付けられる。Ｒ５０（ｎｍ）は、青色ピークの最大強度の５０％まで強度が低下した場合に、青色発光ピークの長波長側の点として定義される。異なるスペクトルのＲ５０（ｎｍ）を、図３及び以下の表に示す。
【０１３２】
【表３】
2020520556.tif 000005
【０１３３】
より良好な白色「レンダリング」も図４によって支持される。より短波長の青色ポンプＬＥＤ（又はより短いＲ５０）を使用するスペクトルに対して、有意な赤色ずれ（ＣＩＥ  ｕ'）に加えて、カラーポイントもＢＢＬの更に下方に移動している。結果として、短いＲ５０を有するサンプルのカラーポイントは、ＢＢＬの更に下方に有意にシフトしている（ＢＢＬまでの距離が約８ｐｔｓから約１３ｐｔｓに増加する）。これは、より良い（より好ましい）白色として知覚される。
【０１３４】
ＣＩＥ  ｖ'（ＣＩＥ  ２００６−１０°観察者を使用して計算）を、Ｒ５０（ｎｍ）の関数として図５に示す。
【０１３５】
これら光源によって誘起される彩度の変化を計算するために、ＩＥＳ  ＴＭ３０−１５を使用した。ＩＥＳ  ＴＭ３０−１５によって定義される１６の異なる色相ビンに対して、彩度の変化がレーダープロットにプロットされている（図６）。Ｒ５０（ｎｍ）を減少させることが、色相ビン４−７の彩度の増加（飽和の増加）をもたらしている。曲線の形状は、ＣＤＭ−ｅｌｉｔｅ（多くの場合、依然として基準源と呼ばれる）について観察される彩度変化に似ている。本発明者らは、嗜好テストによって、これがＣＤＭ−ｅｌｉｔｅに近い色知覚を与えることを見出した。
【０１３６】
提案されたスペクトル特徴の組み合わせにより、低い効率ペナルティと、高彩度指数Ｒｇとを有する良好な白色レンダリングが組み合わされて、好ましい演色がもたらされる。ＩＥＳ  ＴＭ３０−１５に定義されるようなＧＡＩは、本明細書では「Ｒｇ」としても示される。
【０１３７】
一例では、ＧａＹＡＧを、第２の橙色又は赤色蛍光体及び第１の赤色又は橙色蛍光体（上記参照）と組み合わせて使用した。後者の２つは、２つの赤色蛍光体（ＳｒＡｌＳｉＮ３：Ｅｕ（「橙色」）、及びＣａＡｌＳｉＮ３：Ｅｕ（「赤色」））の混合物である。
【０１３８】
別の例では、Ｉｎｔｅｍａｔｉｘ  ＧＡＬ５４０を、第２の橙色又は赤色蛍光体及び第１の赤色又は橙色蛍光体と組み合わせて使用することができる。上記のグラフと非常に類似したグラフを得ることができる。しかし、図７に示すように、緑色蛍光体の変化に起因する小さな（しかし有意な）Ｒ５０（ｎｍ）のシフトがある。サンプルを視覚的に判断すると、Ｒ５０（ｎｍ）は４６２ｎｍ未満であるべきだが、より好ましくは更に４５０ｎｍ未満であるべきことが示された。
【０１３９】
基準ランプは、ａｄ  ＰＷ９３０は、それによって生成された白色光に対して、Ｒ５０＝４７２、ｃｉｅ  ｖ'＝０．５１１、の値を有することを示す。２つの代替的なスペクトル分布を作成した。
Ｒ５０＝４５７ｎｍ、好ましいｃｉｅ  ｖ'＝０．５０８、及び、
Ｒ５０＝４５０ｎｍ、好ましいｃｉｅ  ｖ'＝０．５１２．
【０１４０】
以下の表に示されるように、いくつかの組み合わせが構成された。
【０１４１】
【表４】
2020520556.tif 000006
【０１４２】
「実質的に全ての光（substantially all light）」、又は「実質的に成る（substantially consists）」などにおける、本明細書の「実質的に（substantially）」という用語は、当業者には理解されるであろう。用語「実質的に」はまた、「全体的に（entirely）」、「完全に（completely）」、「全て（all）」などを伴う実施形態も含み得る。それゆえ、実施形態では、この形容詞はまた、実質的に削除される場合もある。適用可能な場合、用語「実質的に」はまた、９５％以上、特に９９％以上、更に特に９９．５％以上などの、１００％を含めた９０％以上にも関連し得る。用語「備える（comprise）」は、用語「備える（comprise）」が「から成る（consists of）」を意味する実施形態もまた含む。用語「及び／又は」は、特に、その「及び／又は」の前後で言及された項目のうちの１つ以上に関連する。例えば、語句「項目１及び／又は項目２」、及び同様の語句は、項目１及び項目２のうちの１つ以上に関連し得る。用語「備える（comprising）」は、一実施形態では、「から成る（consisting of）」を指す場合もあるが、別の実施形態ではまた、「少なくとも定義されている種、及び任意選択的に１つ以上の他の種を包含する」も指す場合がある。
【０１４３】
更には、明細書本文及び請求項での、第１、第２、第３などの用語は、類似の要素を区別するために使用されるものであり、必ずしも、連続的又は時系列的な順序を説明するために使用されるものではない。そのように使用される用語は、適切な状況下で交換可能であり、本明細書で説明される本発明の実施形態は、本明細書で説明又は図示されるもの以外の、他の順序での動作が可能である点を理解されたい。
【０１４４】
本明細書のデバイスは、とりわけ、動作中について説明されている。当業者には明らかとなるように、本発明は、動作の方法又は動作時のデバイスに限定されるものではない。
【０１４５】
上述の実施形態は、本発明を限定するものではなく、むしろ例示するものであり、当業者は、添付の請求項の範囲から逸脱することなく、多くの代替的実施形態を設計することが可能となる点に留意されたい。請求項では、括弧内のいかなる参照符号も、その請求項を限定するものとして解釈されるべきではない。動詞「備える（to comprise）」及びその活用形の使用は、請求項に記述されたもの以外の要素又はステップが存在することを排除するものではない。要素に先行する冠詞「１つの（a）」又は「１つの（an）」は、複数のそのような要素が存在することを排除するものではない。本発明は、いくつかの個別要素を含むハードウェアによって、及び、好適にプログラムされたコンピュータによって実装されてもよい。いくつかの手段を列挙するデバイスの請求項では、これらの手段のうちのいくつかは、１つの同一のハードウェア物品によって具現化されてもよい。特定の手段が、互いに異なる従属請求項内に列挙されているという単なる事実は、これらの手段の組み合わせが、有利に使用され得ないことを示すものではない。
【０１４６】
本発明は更に、明細書本文で説明される特徴及び／又は添付図面に示される特徴のうちの１つ以上を含む、デバイスに適用される。本発明は更に、明細書本文で説明される特徴及び／又は添付図面に示される特徴のうちの１つ以上を含む、方法又はプロセスに関する。
【０１４７】
本特許で論じられている様々な態様は、更なる利点をもたらすために組み合わされることも可能である。更には、当業者は、実施形態が組み合わされることが可能であり、また、３つ以上の実施形態が組み合わされることも可能である点を理解するであろう。更には、特徴のうちのいくつかは、１つ以上の分割出願のための基礎を形成し得るものである。以下では、色域指数（ＧＡＩ又はＧａ）に関するいくつかの参照が提供され、その参照文献は参照により本明細書に組み込まれる。
【０１４８】
Ｇａに関する参考文献
［１］Ａｍｅｒｉｃａｎ  Ｎａｔｉｏｎａｌ  Ｓｔａｎｄａｒｄｓ  Ｉｎｓｔｉｔｕｔｉｏｎ，Ａｍｅｒｉｃａｎ  Ｎａｔｉｏｎａｌ  Ｓｔａｎｄａｒｄ  ｆｏｒ  ｅｌｅｃｔｒｉｃ  ｌａｍｐｓ−Ｓｐｅｃｉｆｉｃａｔｉｏｎ  ｆｏｒ  ｔｈｅ  Ｃｈｒｏｍａｔｉｃｉｔｙ  ｏｆ  Ｆｌｕｏｒｅｓｃｅｎｔ  Ｌａｍｐｓ，ＡＮＳＩ  Ｃ７８．３７６−２００１
［２］Ａｍｅｒｉｃａｎ  Ｎａｔｉｏｎａｌ  Ｓｔａｎｄａｒｄｓ  Ｉｎｓｔｉｔｕｔｉｏｎ，Ａｍｅｒｉｃａｎ  Ｎａｔｉｏｎａｌ  Ｓｔａｎｄａｒｄ  ｆｏｒ  ｅｌｅｃｔｒｉｃ  ｌａｍｐｓ−Ｓｐｅｃｉｆｉｃａｔｉｏｎｓ  ｆｏｒ  ｔｈｅ  Ｃｈｒｏｍａｔｉｃｉｔｙ  ｏｆ  Ｓｏｌｉｄ  Ｓｔａｔｅ  Ｌｉｇｈｔｉｎｇ  Ｐｒｏｄｕｃｔｓ，ＡＮＳＩ  Ｃ７８．３７７：２０１１。
［３］ＣＥＩ／ＩＥＣ  ６００８１：１９９７＋Ａ１：２０００．Ｄｏｕｂｌｅ−ｃａｐｐｅｄ  ｆｌｕｏｒｅｓｃｅｎｔ  ｌａｍｐｓ−Ｐｅｒｆｏｒｍａｎｃｅ  ｓｐｅｃｉｆｉｃａｔｉｏｎｓ。
［４］ＩＥＣ  ６２６１２：２０１３．Ｓｅｌｆ−ｂａｌｌａｓｔｅｄ  ＬＥＤ  ｌａｍｐｓ  ｆｏｒ  ｇｅｎｅｒａｌ  ｌｉｇｈｔｉｎｇ  ｓｅｒｖｉｃｅｓ  ｗｉｔｈ  ｓｕｐｐｌｙ  ｖｏｌｔａｇｅｓ＞５０Ｖ−Ｐｅｒｆｏｒｍａｎｃｅ  ｒｅｑｕｉｒｅｍｅｎｔｓ。
［５］ＩＥＣ  ６２７１７：２０１４．ＬＥＤ  ｍｏｄｕｌｅｓ  ｆｏｒ  ｇｅｎｅｒａｌ  ｌｉｇｈｔｉｎｇ−Ｐｅｒｆｏｒｍａｎｃｅ  ｒｅｑｕｉｒｅｍｅｎｔｓ
［６］ＩＥＣ  ６２７２２−２−１：２０１４．Ｌｕｍｉｎａｉｒｅ  ｐｅｒｆｏｒｍａｎｃｅ−Ｐａｒｔ  ２−１：Ｐａｒｔｉｃｕｌａｒ  ｒｅｑｕｉｒｅｍｅｎｔｓ  ｆｏｒ  ＬＥＤ  ｌｕｍｉｎａｉｒｅｓ。
［７］ＩＳＯ  ８９９５：２００２（Ｅ）／ＣＩＥ  Ｓ  ００８／Ｅ−２００１，Ｌｉｇｈｔｉｎｇ  ｏｆ  ｉｎｄｏｏｒ  ｗｏｒｋ  ｐｌａｃｅｓ
［８］Ｃｏｍｍｉｓｓｉｏｎ  ｒｅｇｕｌａｔｉｏｎ（ＥＣ）Ｎｏ  ２４４／２００９，Ｉｍｐｌｅｍｅｎｔｉｎｇ  Ｄｉｒｅｃｔｉｖｅ  ２００５／３２／ＥＣ  ｏｆ  ｔｈｅ  Ｅｕｒｏｐｅａｎ  Ｐａｒｌｉａｍｅｎｔ  ａｎｄ  ｏｆ  ｔｈｅ  Ｃｏｕｎｃｉｌ  ｗｉｔｈ  ｒｅｇａｒｄ  ｔｏ  ｅｃｏ−ｄｅｓｉｇｎ  ｒｅｑｕｉｒｅｍｅｎｔｓ  ｆｏｒ  ｎｏｎ−ｄｉｒｅｃｔｉｏｎａｌ  ｈｏｕｓｅｈｏｌｄ  ｌａｍｐｓ。
［９］Ｃｏｍｍｉｓｓｉｏｎ  ｒｅｇｕｌａｔｉｏｎ（ＥＣ）Ｎｏ  ２４５／２００９．Ｉｍｐｌｅｍｅｎｔｉｎｇ  Ｄｉｒｅｃｔｉｖｅ  ２００５／３２／ＥＣ  ｏｆ  ｔｈｅ  Ｅｕｒｏｐｅａｎ  Ｐａｒｌｉａｍｅｎｔ  ａｎｄ  ｏｆ  ｔｈｅ  Ｃｏｕｎｃｉｌ  ｗｉｔｈ  ｒｅｇａｒｄ  ｔｏ  ｅｃｏ−ｄｅｓｉｇｎ  ｒｅｑｕｉｒｅｍｅｎｔｓ  ｆｏｒ  ｆｌｕｏｒｅｓｃｅｎｔ  ｌａｍｐｓ  ｗｉｔｈｏｕｔ  ｉｎｔｅｇｒａｔｅｄ  ｂａｌｌａｓｔ，ｆｏｒ  ｈｉｇｈ  ｉｎｔｅｎｓｉｔｙ  ｄｉｓｃｈａｒｇｅ  ｌａｍｐｓ，ａｎｄ  ｆｏｒ  ｂａｌｌａｓｔｓ  ａｎｄ  ｌｕｍｉｎａｉｒｅｓ  ａｂｌｅ  ｔｏ  ｏｐｅｒａｔｅ  ｓｕｃｈ  ｌａｍｐｓ，ａｎｄ  ｒｅｐｅａｌｉｎｇ  Ｄｉｒｅｃｔｉｖｅ  ２０００／５５／ＥＣ  ｏｆ  ｔｈｅ  Ｅｕｒｏｐｅａｎ  Ｐａｒｌｉａｍｅｎｔ  ａｎｄ  ｏｆ  ｔｈｅ  Ｃｏｕｎｃｉｌ。
［１０］Ｃｏｍｍｉｓｓｉｏｎ  ｒｅｇｕｌａｔｉｏｎ（ＥＵ）Ｎｏ  ３４７／２０１０．Ａｍｅｎｄｉｎｇ  Ｃｏｍｍｉｓｓｉｏｎ  Ｒｅｇｕｌａｔｉｏｎ（ＥＣ）Ｎｏ  ２４５／２００９  ａｓ  ｒｅｇａｒｄｓ  ｔｈｅ  ｅｃｏ−ｄｅｓｉｇｎ  ｒｅｑｕｉｒｅｍｅｎｔｓ  ｆｏｒ  ｆｌｕｏｒｅｓｃｅｎｔ  ｌａｍｐｓ  ｗｉｔｈｏｕｔ  ｉｎｔｅｇｒａｔｅｄ  ｂａｌｌａｓｔ，ｆｏｒ  ｈｉｇｈ  ｉｎｔｅｎｓｉｔｙ  ｄｉｓｃｈａｒｇｅ  ｌａｍｐｓ，ａｎｄ  ｆｏｒ  ｂａｌｌａｓｔｓ  ａｎｄ  ｌｕｍｉｎａｉｒｅｓ  ａｂｌｅ  ｔｏ  ｏｐｅｒａｔｅ  ｓｕｃｈ  ｌａｍｐｓ。
［１１］Ｃｏｍｍｉｓｓｉｏｎ  ｒｅｇｕｌａｔｉｏｎ（ＥＵ）Ｎｏ  １１９４／２０１２．Ｉｍｐｌｅｍｅｎｔｉｎｇ  Ｄｉｒｅｃｔｉｖｅ  ２００９／１２５／ＥＣ  ｏｆ  ｔｈｅ  Ｅｕｒｏｐｅａｎ  Ｐａｒｌｉａｍｅｎｔ  ａｎｄ  ｏｆ  ｔｈｅ  Ｃｏｕｎｃｉｌ  ｗｉｔｈ  ｒｅｇａｒｄ  ｔｏ  ｅｃｏ−ｄｅｓｉｇｎ  ｒｅｑｕｉｒｅｍｅｎｔｓ  ｆｏｒ  ｄｉｒｅｃｔｉｏｎａｌ  ｌａｍｐｓ，ｌｉｇｈｔ  ｅｍｉｔｔｉｎｇ  ｄｉｏｄｅ  ｌａｍｐｓ  ａｎｄ  ｒｅｌａｔｅｄ  ｅｑｕｉｐｍｅｎｔ。
［１２］ＥＮＥＲＧＹ  ＳＴＡＲ（登録商標）Ｐｒｏｇｒａｍ  Ｒｅｑｕｉｒｅｍｅｎｔｓ  Ｐｒｏｄｕｃｔ  Ｓｐｅｃｉｆｉｃａｔｉｏｎ  ｆｏｒ  Ｌａｍｐｓ（Ｌｉｇｈｔ  Ｂｕｌｂｓ）−Ｅｌｉｇｉｂｉｌｉｔｙ  Ｃｒｉｔｅｒｉａ，Ｖｅｒｓｉｏｎ  １．１，２０１４。
［１３］Ｃｏｍｍｉｓｓｉｏｎ  Ｉｎｔｅｒｎａｔｉｏｎａｌｅ  ｄｅ  ｌ'Ｅｃｌａｉｒａｇｅ，Ｍｅｔｈｏｄ  ｏｆ  Ｍｅａｓｕｒｉｎｇ  ａｎｄ  Ｓｐｅｃｉｆｙｉｎｇ  Ｃｏｌｏｕｒ  Ｒｅｎｄｅｒｉｎｇ  Ｐｒｏｐｅｒｔｉｅｓ  ｏｆ  Ｌｉｇｈｔ  Ｓｏｕｒｃｅｓ．ＣＩＥ  Ｐｕｂｌｉｃａｔｉｏｎ  １３．３，Ｖｉｅｎｎａ：ＣＩＥ  １３．３，１９９５。
［１４］Ｔｅｕｎｉｓｓｅｎ，Ｃ．，ｖａｎ  ｄｅｒ  Ｈｅｉｊｄｅｎ，Ｆ．Ｈ．Ｆ．Ｗ．，Ｐｏｏｒｔ，Ｓ．Ｈ．Ｍ．，＆ｄｅ  Ｂｅｅｒ，Ｅ．（２０１６）．Ｃｈａｒａｃｔｅｒｉｓｉｎｇ  ｕｓｅｒ  ｐｒｅｆｅｒｅｎｃｅ  ｆｏｒ  ｗｈｉｔｅ  ＬＥＤ  ｌｉｇｈｔ  ｓｏｕｒｃｅｓ  ｗｉｔｈ  ＣＩＥ  ｃｏｌｏｒ  ｒｅｎｄｅｒｉｎｇ  ｉｎｄｅｘ  ｃｏｍｂｉｎｅｄ  ｗｉｔｈ  ａ  ｒｅｌａｔｉｖｅ  ｇａｍｕｔ  ａｒｅａ  ｉｎｄｅｘ．Ｌｉｇｈｔｉｎｇ  Ｒｅｓｅａｒｃｈ  ＆  Ｔｅｃｈｎｏｌｏｇｙ，１４７７１５３５１５６２４４８４。
［１５］Ｏｈｎｏ  Ｙ，Ｆｅｉｎ  Ｍ，Ｍｉｌｌｅｒ  Ｃ．Ｖｉｓｉｏｎ  ｅｘｐｅｒｉｍｅｎｔ  ｏｎ  ｃｈｒｏｍａ  ｓａｔｕｒａｔｉｏｎ  ｆｏｒ  ｃｏｌｏｒ  ｑｕａｌｉｔｙ  ｐｒｅｆｅｒｅｎｃｅ．Ｉｎ：Ｐｒｏｃｅｅｄｉｎｇｓ  ｏｆ  ｔｈｅ  ２８ｔｈ  ＣＩＥ  ｓｅｓｓｉｏｎ  ２０１５；ＣＩＥ  ２１６：２０１５，Ｖｏｌｕｍｅ  １，Ｐａｒｔ  １；ｐｐ．６０−６９．Ｍａｎｃｈｅｓｔｅｒ，Ｕｎｉｔｅｄ  Ｋｉｎｇｄｏｍ，Ｊｕｎｅ  ２８−Ｊｕｌｙ  ４：２０１５。
【図１Ａ】
2020520556.tif 000007
【図１Ｂ】
2020520556.tif 000008
【図１Ｃ】
2020520556.tif 000009
【図２】
2020520556.tif 000010
【図３】
2020520556.tif 000011
【図４】
2020520556.tif 000012
【図５】
2020520556.tif 000013
【図６】
2020520556.tif 000014
【図７】
2020520556.tif 000015
【図８】
2020520556.tif 000016
【国際調査報告】
2020520556.tif 000017
2020520556.tif 000018
2020520556.tif 000019